(57)【要約】  警報システムが開示される。該警報システムは、囲われた場所と；上記囲われた場所と信号を通信するように構成された少なくとも１つのセンサと；上記囲われた場所内に配置され、アクティブ化信号を受信し、及び、警報信号を送信するように構成された少なくとも１つの無線トランシーバとを備える。
2014519092.tif 000002
【特許請求の範囲】
【請求項１】
囲われた場所と、
上記囲われた場所と信号を通信するように構成された少なくとも１つのセンサと、
上記囲われた場所内に配置され、アクティブ化信号を受信し、及び、警報信号を送信するように構成された少なくとも１つの無線トランシーバと、を備えることを特徴とする警報システム。
【請求項２】
外部の要素によってタッチされたときに点灯するタッチ式コントロールパネルをさらに備えることを特徴とする請求項１に記載の警報システム。
【請求項３】
ベースユニットの底部に設けられたリフトオフプレートである、少なくとも１つの電源のタンパー機能をさらに備えることを特徴とする請求項１に記載の警報システム。
【請求項４】
個別の電源を備えた、ＧＰＳパッケージ及びセルラ無線パッケージの少なくとも１つをさらに備えることを特徴とする請求項１に記載の警報システム。
【請求項５】
上記のシステムを、複数のサブシステムに分け、かつ、個別に警戒または警戒解除するための、少なくとも１つのホットボタン群をさらに備えることを特徴とする請求項１に記載の警報システム。
【請求項６】
警報自動接続機能をさらに備えることを特徴とする請求項１に記載の警報システム。
【請求項７】
センサ自動接続機能をさらに備えることを特徴とする請求項１に記載の警報システム。
【請求項８】
アラーム時計をさらに備えることを特徴とする請求項１に記載の警報システム。
【請求項９】
外部の遠隔通信要素または看板をさらに備えることを特徴とする請求項１に記載の警報システム。
【請求項１０】
妨害対策装置をさらに備えることを特徴とする請求項１に記載の警報システム。
【請求項１１】
無線トランシーバ、または、ＷＩ−ＦＩトランシーバ要素をさらに備えることを特徴とする請求項１に記載の警報システム。
【請求項１２】
統合されたプロセッサ及びコントロールパネルにより構成されたベースユニットと、
少なくとも１つの無線警報センサを含んで構成され、境界を有する民生の所有物と関連付けられた第１警報セグメントと、
少なくとも１つの無線警報センサを含んで構成された少なくとも１つの追加の警報セグメントとを備えており、
少なくとも１つの上記プロセッサ及び上記コントロールパネルが、上記第１警報セグメントおよび上記少なくとも１つの追加の警報セグメントとを個別に制御するように構成されており、上記少なくとも１つの追加の警報セグメントは、上記第１警報セグメントに近接するように構成されており、上記第１警報セグメント及び上記少なくとも１つの追加の警報セグメントは、個別に、警戒され、及び警戒解除されることを特徴とする携帯可能な警報システム。
【請求項１３】
少なくとも１人の緊急要員に対応する少なくとも１つの信号を、警戒、警戒解除、及びアクティブ化するように構成されたハンドヘルドリモコンをさらに備えることを特徴とする請求項１２に記載の携帯可能な警報システム。
【請求項１４】
上記ベースユニット内に設けられ、かつ、電源と選択的に接続される、少なくとも１つのＧＰＳパッケージをさらに備えることを特徴とする請求項１２に記載の携帯可能な警報システム。
【請求項１５】
上記電源は、再充電可能型電源および従来型電源の少なくとも１つであり、上記再充電可能型電源は、ソーラー型及び従来型の少なくとも１つで構成されていることを特徴とする請求項１４に記載の携帯可能な警報システム。
【請求項１６】
少なくとも１つの盗難防止インジケータと接続している少なくとも１つの振動センサをさらに備えることを特徴とする請求項１に記載の携帯可能な警報システム。
【請求項１７】
上記振動センサは、機械センサ及び微小電気機械（ＭＥＭ’ｓ）センサの少なくとも１つであることを特徴とする請求項７に記載の携帯可能な警報システム。
【請求項１８】
警報ベースユニットを準備することと、
少なくとも１つの警報センサと共に上記警報ベースユニットを、第１制御要素と無線で相互に接続することと、
少なくとも１つの追加の警報センサを上記ベースユニットと無線で相互に接続することと、
上記少なくとも１つの追加の警報センサをホットボタン警報センサとして選択することと、
上記ホットボタン警報センサを警戒させることと、
上記ホットボタン警戒センサの警戒状態を維持している間、上記第１警報センサを選択的に警戒、及び警戒解除することとを含む方法。
【請求項１９】
上記警報ベースユニットと、上記警報ベースユニットの警戒及び警戒解除を遠隔で行う、少なくとも１つの携帯可能なハンドヘルド制御装置との間の無線通信インタフェースを設けるように構成することをさらに含む請求項１８に記載の方法。
【請求項２０】
追跡装置を選択的に組み合わせることをさらに含む請求項１８に記載の方法。
【発明の詳細な説明】
【発明の詳細な説明】
【０００１】
〔関連出願〕
本出願は、２０１１年５月１３日に出願された、米国仮特許出願第６１／４８６，００７号、及び２０１２年３月２７日に出願された、米国仮特許出願第６１／６１６，２７３号の優先権による利益を主張するものであり、それらの内容は、それらの全てを参照することにより、本明細書に組み込まれる。
【０００２】
〔背景技術〕
警報装置は、公的な、及び私的な資産を、多様な脅威から保護すると共に、その安全を確保するために利用されている。脅威とは、これに限定されるものではないが、侵入者、盗難、及び、火事及び洪水などの災害を含み、人または資産に対して損害及び危害を与え得るあらゆるものを含む。警報システムは、動き、視覚、及び音声を含む種々のセンサ入力を含む。典型的には、これらの装置は、視聴可能な警報を含み、配線（hard lines）を介して中央監視ステーションへと直接接続される。上記中央監視ステーションは、資産の所有者、及び、これに限定されるものではないが、警察署、救急病院、及び消防署などの公的な保安署と連絡を取り得る。ある場合には、これらのユニットは、上記監視ステーションへの無線通信を行うためのセルラトランシーバを備える。
【０００３】
流通している警報システムは、何らかの方式によって、該警報システムが保護対象とする特定の居所に取り付けられる、携帯可能ではないベースステーションを有しており、概して、かさばるシステムである。それらは大抵、上記ベースステーションと通信する複数のセンサをアクティブ化させることによって機能する。上記ベースステーションは、すべてのセンサがモニタされている場所、または、すべてのセンサが停止されている、つまりモニタされていない場所、のどちらにおいてもアクティブ化している。
【０００４】
一方、携帯可能な民生用警報装置は、さまざまな類型の資産の保護に利用することができる。該携帯可能な警報装置は、資産の所有者が保護したいと考える場所とは異なる場所において使用されているときに、上記ベースステーションが認識し、種々のセンサと通信するように簡易なアクティブ化工程を備えている。加えて、携帯可能な民生用警報システムは、他のセンサが監視されていない間に、１つのボタンによってアクティブ化及び停止するように予めプログラムされている種々のセンサをアクティブ化させたり停止させたりすることができる。
【０００５】
〔要約〕
新規で独特な民生用警報装置が開示される。上記民生用警報装置は、少なくとも１つの遠隔装置から、少なくとも１つの警報信号および少なくとも１つの制御信号を検知するためのトランシーバを備えてもよい。上記警報装置は、ジニータッチ（genie touch）起動要素；オンデマンドのグローバルポジショニング能力；電源タンパーバックアップ構成；ホットボタン群；自動接続構成；センサ制御監視ステーション自動接続；アラーム時計；外部信号通信；妨害対策機能；無線バックアップ；統合型カメラ、統合型動作センサ、写真ディスプレイ、及び、少なくとも１つのコンピュータが読取り可能な統合型メディアカードスロットを含む様々な特徴を備えてもよい。上記民生用警報装置は、これらの各要素を単独で備えていてもよいし、組み合わせて１台の民生用警報装置に備えていてもよい。
【０００６】
〔図面の簡単な説明〕
ここで、図面を参照すれば、例証となる実施形態が詳細に示される。図面はある実施形態を描いたものであるが、必ずしも寸法を忠実に表現したものではなく、本発明をより良く表現し説明するために、強調されたり、取り去られたり、または切断されたりするかもしれない。さらに、本明細書において説明される実施形態は例示であり、請求項を網羅したり、逆に、図面に示されかつ以下の詳細な説明において開示されたものと寸分が違わない形状と構成とに制限したりまたは限定したりする意図はない。
【０００７】
図１は、携帯可能な警報装置を備えるセキュリティシステムの一例を示す。
【０００８】
図２Ａは、ユーザの所有物の一例を示す。
【０００９】
図２Ｂは、外部の遠隔通信要素の一例を示す。
【００１０】
図３は、民生用警報ユニットの一例を示す。
【００１１】
図４は、民生用警報ユニットの正面図である。
【００１２】
図５は、民生用警報ユニットの背面図である。
【００１３】
図６は、民生用警報ユニットの上面図である。
【００１４】
図７は、民生用警報ユニットの底面図である。
【００１５】
図８および図９は、民生用警報ユニットの側面図である。
【００１６】
図１０は、民生用警報ユニットのためのハンドヘルド遠隔制御装置の一例を示す。
【００１７】
図１１は、ホーム画面例を表示している民生用警報ユニットの一例を示す。
【００１８】
図１２は、民生用警報ユニットにおいて表示されるホーム画面の一例を示す。
【００１９】
図１３は、新しいＰＩＮの入力のために民生用警報ユニットの一例において表示される画面例を示す。
【００２０】
図１４は、メニュー指示機能の表示のために民生用警報ユニットの一例において表示される画面例を示す。
【００２１】
図１５Ａは、センサの追加のために民生用警報ユニットの一例において表示される画面例を示す。
【００２２】
図１５Ｂは、民生用警報ユニットの一例において表示される学習モード画面の一例を示す。
【００２３】
図１５Ｃは、民生用警報ユニットの一例において表示されるセンサ識別画面の一例を示す。
【００２４】
図１５Ｄは、センサの削除のために民生用警報ユニットの一例において表示される画面例を示す。
【００２５】
図１６は、センサの変更のために民生用警報ユニットの一例において表示される画面例を示す。
【００２６】
図１７は、センサボタン／アイコンを備える民生用警報ユニットの一例において表示されるセンサホーム画面の一例を示す。
【００２７】
図１８は、センサトラブルボタン／アイコンを備える民生用警報ユニットの一例において表示されるセンサホーム画面の一例を示す。
【００２８】
図１９は、民生用警報ユニットの一例において表示されるホーム画面の一例を示す。
【００２９】
図２０は、民生用警報ユニットの一例において表示される警戒解除画面の一例を示す。
【００３０】
図２１は、ペットモードにおいて、民生用警報ユニットの一例において表示される画面例を示す。
【００３１】
図２２は、民生用警報ユニットの一例において表示される警報画面の一例を示す。
【００３２】
図２３Ａは、ユーザのリストを表示している民生用警報ユニットの一例において表示される画面例を示す。
【００３３】
図２３Ｂは、ユーザ承認の変更のために民生用警報ユニットの一例において表示される画面例を示す。
【００３４】
図２３Ｃは、リモコンの追加のために民生用警報ユニットの一例において表示される画面例を示す。
【００３５】
図２３Ｄは、遠隔ネットワーク装置の追加のために民生用警報ユニットの一例において表示される画面例を示す。
【００３６】
図２３Ｅは、民生用警報ユニットの一例において表示されるパニック機能画面を示す。
【００３７】
図２３Ｆは、ユーザのリストを表示している民生用警報ユニットの一例において表示される画面例を示す。
【００３８】
図２３Ｇは、民生用警報ユニットの一例において表示されるユーザ削除画面の一例を示す。
【００３９】
図２４Ａは、民生用警報ユニットの一例において表示されるユーザ編集画面の一例を示す。
【００４０】
図２４Ｂは、民生用警報ユニットの一例において表示される遠隔編集画面の一例を示す。
【００４１】
図２４Ｃは、民生用警報ユニットの一例において表示される削除編集画面の一例を示す。
【００４２】
図２５Ａは、ホットボタンの追加のために民生用警報ユニットの一例において表示される画面例を示す。
【００４３】
図２５Ｂは、ホットボタンの音響選択のために民生用警報ユニットの一例において表示される画面例を示す。
【００４４】
図２５Ｃは、連絡先のリストを示すために民生用警報ユニットの一例において表示される画面例を示す。
【００４５】
図２６Ａは、民生用警報ユニットの一例において表示されるホットボタンホーム画面の一例を示す。
【００４６】
図２６Ｂは、ホットボタンのステータスを示している民生用警報ユニットの一例において表示される画面例を示す。
【００４７】
図２６Ｃは、ホットボタンのリストを表示している民生用警報ユニットの一例において表示される画面例を示す。
【００４８】
図２６Ｄは、ホットボタンの削除のために民生用警報ユニットの一例において表示される画面例を示す。
【００４９】
図２６Ｅは、ホットボタンの編集のために民生用警報ユニットの一例において表示される画面例を示す。
【００５０】
図２７Ａは、警報のアクティブ化のために民生用警報ユニットの一例において表示される画面例を示す。
【００５１】
図２７Ｂ、及び、図２７Ｃは、民生用警報ユニットの一例において表示されるアクティブ化した警報画面の一例を示す。
【００５２】
図２８は、拡張機能とともにメニューを示している民生用警報ユニットの一例において表示される画面例を示す。
【００５３】
図２９は、テキストメッセージまたは電子メール通知を受け取るための、電話番号及び電子メールアドレスの登録のために、民生用警報ユニットの一例において表示される画面例を示す。
【００５４】
図３０Ａは、警報リストを示している民生用警報ユニットの一例において表示される画面例を示す。
【００５５】
図３０Ｂは、連絡先リストを示している民生用警報ユニットの一例において表示される画面例を示す。
【００５６】
図３１は、民生用警報ユニットの一例において表示されるテストメッセージ確認画面の一例を示す。
【００５７】
図３２は、スクリーンセーバオプションを示している民生用警報ユニットの一例において表示される画面例を示す。
【００５８】
図３３は、タイマーリストを示している民生用警報ユニットの一例において表示される画面例を示す。
【００５９】
図３４は、民生用警報ユニットの一例において表示されるパニックキーホーム画面の一例を示す。
【００６０】
図３５は、民生用警報ユニットの一例において表示されるホーム画面の一例を示す。
【００６１】
図３６は、民生用警報ユニットの一例において表示される特別タンパー画面の一例を示す。
【００６２】
図３７は、民生用警報ユニットの一例において表示されるログレビュー画面の一例を示す。
【００６３】
図３８は、さらなる機能を示している民生用警報ユニットの一例において表示される画面例を示す。
【００６４】
図３９は、民生用警報ユニットの一例において表示される電源オフ確認画面の一例を示す。
【００６５】
図４０は、民生用警報ユニットの一例をアクティブ化させるための方法の一例を示す。
【００６６】
図４１は、民生用警報ユニットの一例を警戒させるための方法の一例を示す。
【００６７】
図４２は、民生用警報ユニットの一例を警戒解除するための方法の一例を示す。
【００６８】
図４３は、民生用警報ユニットの一例においてセンサの追加、または、センサの変更を行うための方法の一例を示す。
【００６９】
図４４は、民生用警報ユニットの一例においてユーザの追加、または、ユーザの変更を行うための方法の一例を示す。
〔詳細な説明〕
携帯可能な民生用警報装置、及び、システムが開示される。上記装置、及び、システムは、様々なタイプの資産を保護するように構成され得る。上記装置、及び、システムは、資産の所有者またはユーザがその保護に関心を持っている、異なる地理上の位置において利用される場合、ベースステーションに様々なセンサを認識させ、ベースステーションを様々なセンサと接続させる簡単なアクティブ化プロセスを備えてもよい。携帯可能な民生用警報システムは、その他のセンサが停止していて監視されていない間に、同時に、様々なセンサを、アクティブ化、及び停止させるように予めプログラムされた１つの簡単なアクティブ化ボタンによって、アクティブ化、及び停止させるように構成されてもよい。
【００７０】
上記装置は、監視要素、１つ以上の警報センサ、及び通信インタフェースと通信する、独特で頑丈な囲われた場所の中に収容されてもよい。上記１つ以上の警報センサは、これに限定されるものではないが、無線ドアセンサ、動作検知器、湿度検知器、煙検知器、カメラ、加速度計またはラトル装置、またはその他のこのような警報システム監視センサを含んでもよい。上記システムは、１つ以上の警報センサに依存するスタンドアロンのベースユニットとして構成されてもよいし、ベースユニットから所定の距離にある領域内に設置された遠隔センサの、より大きな配置の中に統合されたものとして構成されてもよい。上記システムは、それぞれのセンサ、監視ステーション、またはハンドセットと、有線または無線による通信能力を含んでもよい。上記ユニットは、文字の（textual）、及び／または、聴覚の警報通知を送信するためのセルラ及びその他の無線通信能力を含んでもよい。上記ユニットは、上記ベースユニットが備える１つ以上の機能をアクティブ化させるために、制御信号を上記ベースユニットに送信してもよい。
【００７１】
上記ベースユニットは、１つ以上の警報装置プロセッサと通信する１つ以上の統合されたセンサを含んでもよい。上記プロセッサは、マイクロプロセッサ、または、統合されたコントロールパネルを介して、1人以上のユーザと直接に相互作用するように構成されたその他の演算装置であってもよい。上記ベースユニット及びプロセッサは、これに限定されるものではないが、加速度計またはその他の動作検知装置と併せて構成され得る、煙検知器、一酸化炭素、ペット免疫動作（pet immune motion）検知器、動作検知器、またはラトルループなどの、１つ以上の警報センサ、及び、１つ以上の既存の無線センサまたはその他の装置と相互に接続されるように構成されてもよい。上記センサは、これに限定されるものではないが、接着結合、締付け具、ストラッピング、及び磁気を用いる、などの様々な付着させる技術によって、監視対象の建造物または要素に、取り外し可能に固定されてもよい。
【００７２】
計算装置またはプロセッサは、これに限定されるものではないが、Ｍｉｃｒｏｓｏｆｔ  Ｗｉｎｄｏｗｓ（登録商標）オペレーティングシステム、Ｕｎｉｘ（登録商標）オペレーティングシステム（例えば、カリフォルニア州Ｍｅｎｌｏ  ＰａｒｋのＳｕｎ  Ｍｉｃｒｏｓｙｓｔｅｍｓ社によって流通されているＳｏｌａｒｉｓ（登録商標）オペレーティングシステム）、Ｎｅｗ  ＹｏｒｋのＩｎｔｅｒｎａｔｉｏｎａｌ  Ｂｕｓｉｎｅｓｓ  Ｍａｃｈｉｎｅｓ  ｏｆ  Ａｒｍｏｎｋによって流通されているＡＩＸＵＮＩＸオペレーティングシステム、の既知のバージョン、及び／またはその変化物を含む、多数のコンピュータオペレーティングシステムのいずれを用いてもよい。
【００７３】
計算装置またはプロセッサの各々は、概ね、上掲のような１つ以上の装置によって実行可能な命令を含んでいる。
【００７４】
コンピュータで実行可能な命令は、これに限定されるものではないが、Ｊａｖａ（登録商標）、Ｃ、Ｃ＋＋、Ｖｉｓｕａｌ  Ｂａｓｉｃ、Ｊａｖａ  Ｓｃｒｉｐｔ（登録商標）、Ｐｅｒｌ、アセンブリ言語などの、単独または組み合わせのいずれかを含む、様々なプログラム言語、及び／または技術を用いて生成されたコンピュータプログラムからコンパイルされ、または、解釈されてもよい。概ね、プロセッサ（例えば、マイクロプロセッサ）は、例えば、メモリまたはコンピュータ可読媒体などから命令を受け取り、これらの命令を実行する。これにより、本明細書において記載された１つ以上の処理を含む、１つ以上の処理を遂行する。このような命令、及び他のデータは、既知の様々なコンピュータ可読媒体を用いて保存されてもよいし、送信されてもよい。
【００７５】
コンピュータ可読媒体は、データ（例えば、命令）の提供に関与しており、コンピュータによって読み取られ得る任意の媒体を含む。そのような媒体は、非揮発性媒体、揮発性媒体、及び、伝送媒体を含む多くの形式を取り得るが、これに限定されない。非揮発性媒体は、例えば、光学ディスクまたは磁気ディスク、及びその他の永続メモリを含む。揮発性媒体は、ダイナミックランダムアクセスメモリ（ＤＲＡＭ）を含み、概して、メインメモリを構成する。伝送媒体は、同軸ケーブル、銅線、及び光ファイバを含み、プロセッサと接続されるシステムバスを構成するワイヤを含む。伝送媒体は、無線周波数（ＲＦ）及び赤外線（ＩＲ）データ通信の間に生成されるような、音波、光波、及び電磁放射を含んでもよいし、または、伝送してもよい。コンピュータ可読媒体の共通形式は、例えば、フロッピー（登録商標）ディスク、フレキシブルディスク、ハードディスク、磁気テープ、他の磁気媒体、ＣＤ−ＲＯＭ、ＤＶＤ、他の光学媒体、パンチカード、ペーパーテープ、穿孔のパターンを有する他の物理媒体、ＲＡＭ、ＰＲＯＭ、ＥＰＲＯＭ、ＥＥＰＲＯＭ、フラッシュメモリ装置、他のメモリチップ、またはメモリカートリッジ、以下に記載の搬送波、または、コンピュータが読取り可能な他の媒体を含む。
【００７６】
上記ベースユニットは、動作センサをオフにして、そのほかの全てのセンサをアクティブのままにする、特定のペット機能を備えて構成されてもよい。しかし、もし上記動作センサがシステム上に存在する唯一のセンサであれば、ペット機能は、ペット機能を果たすためのシステムに使用されるために必要な非動作センサとして機能しない。上記ペット機能は、動物のサイズに基づいて感度に対して様々なモードを含んでもよい。加えて、上記ベースユニットは、ユーザが物音を立てることなく警報をアクティブ化したり非アクティブ化したりすることを可能とする、キーパッド／画面の非アクティブ化のための消音ボタンを含んでもよい。
【００７７】
上記ベースユニットは、セキュアデジタル（ＳＤ）または他の型のカード読み取り媒体のような、コンピュータ可読媒体スロットを含んでもよいが、これに限定されない。上記媒体は、上記ベースユニットが、ファームウェア更新、及び、ユーザが上記ベースユニット制御画面上に個人の写真のような画像を表示できるデジタル映像の受信を可能にする。上記ベースユニットは、上記ファームウェア、上記画像、または他のコンピュータ可読媒体を、上記ユニットが更新されたり、上記制御画面上に表示するための画像を格納したりできるように、無線接続を介して受信するように住宅内において構成されてもよい。上記制御画面は、上記ベースユニットの向きに依存して回転できるように構成してもよい。このように、上記画面は、ユーザによって希望される通りに、縦長表示または横長表示へと切り替えてもよい。
【００７８】
上記ベースユニットは、これに限定されるものではないが、キーフォブ、携帯電話、及び携帯メディアタブレットのような遠隔ハンドヘルド装置を用いてアクティブ化されたり、非アクティブ化されたりしてもよい。上記遠隔ハンドヘルド装置または他のハンドヘルド要素は、これに限定されるものではないが、プッシュツーロック（push to lock）ボタン、及びユーザが上記ベースユニットに単に近接するだけでアクティブ化したり非アクティブ化したりできるアクセス制御要素のような、１つ以上のプログラム可能なボタンを含んでもよい。上記携帯電話及び携帯メディアタブレットは、上記ベースユニットの画面を模倣するプログラムまたはアプリケーションにより構成されてもよい。上記フォブ及び上記ベースユニットの両方は、上記ベースユニット、フォブ、ハンドヘルド通信装置、または上記監視ステーションとの間の通信を可能にするプッシュツートーク（push to talk）機能を含んでいてもよい。すなわち、２ウェイマイク及びスピーカは、上記フォブ及び上記ベースユニットに依存してもよい。
【００７９】
上記ベースユニットは、また、映像通信用に画面上に映すことが可能なビデオカメラを含んでもよい。上記ビデオカメラは、住宅の任意の場所に設置され得、画像が撮られていることを侵入者に気づかれないようにカモフラージュされてもよい。
【００８０】
上記ベースユニットは、内部コンポーネントを破って上から注がれる流体を導く排水路を含んでもよい。上記ベースユニットは、また、水密型制御及び水偏向水路または溝を含んでもよい。上記水密機能は、上記ベースユニットが改ざんされることの防止に役立つ。そのために、水分検知装置が、流体が上記ユニットにもたらされた時を検知するために設けられてもよいし、改ざんの可能性のあるユーザを知らせるために、無音または他の警報がユーザに送信されてもよい。上記ユニットは、また、もし二次センサが接続された場合には、非アクティブにされ得る、内蔵型の動作センサを含んでもよい。
【００８１】
上記ベースユニットは、ユーザ及び友人ユーザによる決定に基づいて、あなたのシステムが他の通信機能と共に稼働中である時、友人タイプのユーザを知らせるために、他のベースユニットのユーザがあなたのベースユニットと通信できるようにソーシャルメディア機能を備えてもよい。
【００８２】
ジニータッチ構成は、ユーザが上記ユニットを、バッテリのスタンバイ状態ではあるが動作はしていない状態を維持することを可能にしてもよい。ひとたびユーザが構成画面をタッチすると、ユーザに上記ユニットを動作モードにすることを望むかどうかを尋ねるメッセージが現れる。もしユーザが、はい、を選択すれば、上記ユニットは起動し、正常にアクティブ化する。もしユーザが、はい、を押下しなければ、上記ユニットは所定の時間以内に、再び起動を停止する。上記ユニットは、該ユニットが電力を必要としている以下のいずれかの場合、テキストまたは電子メールをユーザへと自動的に送信する。その場合とは、電源に接続する場合または電源との接続を絶つ場合、または、ジニータッチ構成の状態になる場合、である。これにより、ユーザは、上記ユニットがバッテリ電力で動作しているのか、電源に直接接続されているかについて知ることができる。上記バッテリは、充電を必要とするまでおよそ４８時間まで持続する。さらに、上記ユニットは、ジニータッチモードにあるときにおいて、上記ユニットが取り外されたかどうか、または上記ユニットが妨害信号を受信したときに上記ユニットをユーザが追跡できるように、搭載している全地球測位衛星（ＧＰＳ）機能を自動的にアクティブ化する能力を備えてもよい。ジニータッチ機能は、上記ユニットの電源が入っているか否かにかかわらず、上記ユニットを電源が入っていないように見せるか、または、ステルスモードにする一方、本明細書において述べられるように、無音信号または他のステルス型の情報を送信することにより、上記警報センサ及びユーザとの通信を維持している。
【００８３】
ジニータッチ機能は、ユーザのセキュリティシステムをユーザが充電でき、電力を消耗することなく遠隔地へ持ち運ぶことを可能にする。上記ユニットが充電された後、オペレータはジニーモードに切り替え、完全に電力から上記装置を取り外すことが可能である。オペレータがバッテリのみでユニットをアクティブ化する準備ができている場合、上で述べたように、画面をただタッチすればよい。上記ユニットが超低電力モード（ディスプレイオフ、無線オフ、ＧＳＭ（登録商標）オフ、スピーカオフ）にあると、上記ユニットは数日間ジニーモードのまま維持される。一方、もし動作モードが維持されると、上記バッテリではおよそ２０時間しかもたないであろう。上記ジニーモード、及び上記監視モードを、適切に管理することにより、ユーザは、延長された期間、これに限定されるものではないが、例えば数夜、遠隔地を見張ることができる。
【００８４】
ユーザによってアクティブ化される、全地球測位衛星（ＧＰＳ）パッケージ、及び／または、セルラ無線パッケージが使用されてもよい。それは、緊急の監視サービスを通知するため、及び、上記装置の位置において連携して援助するように上記ＧＰＳを送信するために使用されてもよい。上記ＧＰＳは、これに限定されるものではないが、上記ベースユニットそのものに埋め込まれたＧＰＳ、または上記センサに埋め込まれたＧＰＳなどの、さまざまな構成を含んでもよい。もし、ＧＰＳが上記ベースユニットに埋め込まれており、かつ、それが盗まれた場合、その位置を決定するために、電源が入れられたとき、メッセージがユーザに送信されてもよい。さらに、センサは、ベースユニットまたはユーザが、センサが動かされた旨のメッセージを受信できるような機能を含んでもよい。そして、その機能は、ベースユニット、及び／またはユーザが、個々のセンサを追跡できるように、内蔵のＧＰＳをアクティブ化し、それによって、ユニットコンポーネントの盗難を防止する。
【００８５】
上記無線パッケージは、本明細書においてさらに述べるさらなる送信のために、任意の所望の警報信号を任意の適した型の無線デジタルデータへと変換するためにプログラムされ得るインテリジェント通信インタフェース形式であってもよい。例えば、無線デジタルデータは、ショートメッセージサービス（ＳＭＳ）型データのような文字デジタルデータを含んでもよい、ＳＭＳは、Ｇｌｏｂａｌ  ｆｏｒ  Ｍｏｂｉｌｅｓ（ＧＳＭ）デジタル携帯電話標準に組み込まれたときに作成された。その技術は、今では広く用いられているが、テキストメッセージを、例えば携帯電話へ送信したり、テキストデータを、例えば携帯電話から受信したりできる能力を提供する。テキストは、単語または数字または英数字の組み合わせから構成され得る。無線デジタルデータがＳＭＣ型データを含むとき、上記インテリジェント通信インタフェースは、上記警報信号を、ＳＭＳ型送信のためのＡＴ命令セットのようなテキストベースの命令セットへと変換してもよい。別の例において、上記警報信号は、マルチメディアメッセージ通信サービス（ＭＭＳ）型データまたは汎用パケット無線サービス（ＧＰＲＳ）型データへと変換されてもよい。当業者であれば、任意の無線デジタルデータの型が使用され得ること、及び上記無線コンポーネント（図示せず）が、これらのデータパケット伝送方法の１つ、またはすべてのデータパケット伝送方法を利用するために選択されることを理解する。言い換えれば、上記無線コンポーネント（図示せず）の型、構成、及び選択は、ある程度上記無線信号デジタルデータを第三者のネットワーク（例えば、Ｓｐｒｉｎｔ、Ｖｅｒｉｚｏｎ、Ｎｅｘｔｅｌ、ＡＴ＆Ｔ、など）を通じて転送する上記データパケット方法に依存している。これらの第三者のネットワークは、これに限定されるものではないが、ほんの数例を挙げれば、Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ（ＵＴＭＳ）、Ｃｏｄｅ  Ｄｉｖｉｓｉｏｎ  Ｍｕｌｔｉｐｌｅ  Ａｃｃｅｓｓ（ＣＤＭＡ）、Ｗｉｄｅｂａｎｄ  Ｄｉｖｉｓｉｏｎ  Ｍｕｌｔｉｐｌｅ  Ａｃｃｅｓｓ（Ｗ−ＣＤＭＡ）、Ｇｅｎｅｒａｌ  Ｐａｃｋｅｔ  Ｒａｄｉｏ  Ｓｅｒｖｉｃｅｓ（ＧＰＲＳ）、及びＨｉｇｈ−Ｓｐｅｅｄ  Ｄｏｗｎｌｉｎｋ  Ｐａｃｋｅｔ  Ａｃｃｅｓｓ（ＨＳＤＰＡ）などの、さまざまな型の無線ネットワークソリューションを使用している。上記警報システム、より具体的には、上記インテリジェント通信インタフェース、及び上記無線コンポーネントは、任意のデータパケット伝送方法または任意の無線ネットワークソリューションに適合可能なように構成される。
【００８６】
上記インテリジェント通信インタフェース無線コンポーネントは、上述のように、外表面に対して内側に構成されていてもよい。上記コンポーネントは、任意の適切な型の無線であってもよい。上記無線は、所望の型の無線デジタルデータを送信したり、受信したりできるように選択される。例えば、上記無線は、ＳＭＳ型データの送受信をし得る携帯電話であってもよい。本明細書においてさらに述べるように、上記無線は、上記無線デジタル信号を任意の適した型のサービスステーションへ送信してもよい。
【００８７】
上記ベースユニット、及び／または上記センサ無線パッケージは、独特な音、またはＧＰＳをアクティブ化させる信号を有する妨害対策機能（Ｇｒｏｕｐｅ  Ｓｐｅｃｉａｌ  Ｍｏｂｉｌｅ（ＧＳＭ）、またはＣｏｄｅ  Ｄｉｖｉｓｉｏｎ  Ｍｕｌｔｉｐｌｅ  Ａｃｃｅｓｓ（ＣＤＭＡ））を含んでもよい。そして、上記ユニットは、該ユニットがセンサ妨害を受けていることを示す無音警報信号を送信している間、上記妨害の影響に打ち勝つことを援助するために、ＷＩ−ＦＩへと切り替えることができてもよい。別の盗難防止機能は、上記ユニットが動かされたときに発動する個別のブザーまたは警報であって、上記ベースユニットが警戒されていないときにベースユニットの安全を提供するために備えられる、個別のブザーまたは警報を含んでもよい。盗難防止アクティブ化モードにおいて、上記ベースユニットは、任意の動作を検知し、動作が停止するまで可聴音を送信し得る。上記盗難防止ボタン／アイコンは、該ボタンがアクティブ化されたときに変色してもよい。上記ベースユニットは、上記機能をアクティブ化させるために、上記コントロールパネルにおけるホーム画面か、または、スクリーンセーバモードにされなければならない。カメラは、上記ユニットを動かすいかなる人または物体を写真に撮り、警察当局者への転送ができるようにユーザに写真を送信するために備えられてもよい。上記ユニットは、これに限定されるものではないが、安全の侵害を警察当局者に通報するために照明する庭看板（yard sign）などの、住宅マーカ（residence marker）と接続されていてもよい。上記住宅マーカは、迅速な通知のために、照明装置、警報ビーコン、及びＧＰＳ探知器を含んでもよい。
【００８８】
ＧＰＳに対する一つの適用例としては、遠隔センサ及び上記ベースユニットを同時に合わせて利用する場合が考えられる。そのような場合、上記ベースユニットは、次のような場合、安全センサのＧＰＳ部をアクティブ化してもよい。その場合とは、該安全センサから警報が発せられた場合、または、所定の時間、上記ベースユニットによってチェックインされていないセンサから警報が発せられた場合、である。そのような場合、上記センサの内部のセルラ送信器は、監視センタまたはユーザに、上記ユニットがもはや上記安全システム内にはないことを示すメッセージを送信する。そのとき、追跡サービスを希望するかどうかを尋ねるためのメッセージがユーザに送信される。これにより、ユーザは、常時の追跡を行なうための料金を支払う必要はなく、ＧＰＳ追跡サービスが実際に必要となったときだけ料金を支払えばよい。さらに、このようにすれば、上記セルラ無線及びＧＰＳに電力を供給するバッテリを、上述のような状況に遭遇しない限り、常に非アクティブにしておくことができる。通常、ＧＰＳシステムには、高容量の充電式バッテリが必要であるが、このようにすれば、非充電式バッテリを使用することが可能となり、遠隔センサの全費用及び維持費を低減させることができるであろう。
【００８９】
上記警報装置は、電源のタンパー機能を備えるように構成されてもよい。この機能は、電源プラグを抜くことにより上記システムを無効化しようとする誰かを思いとどまらせるかもしれない。上記ユニットは、外部電源なしで何時間もの間駆動できるように、バッテリのバックアップを内部に備えてもよい。上記ユニットが警戒状態にあり、かつ、入室遅延がアクティブ化している場合（これは、侵入者が任意の遅延センサを通過すると生じ得る）、一定の音が鳴ると、これは通常であればシステムを警戒解除させることをユーザに示すためのものであるところ、侵入者であれば電源プラグを抜くことにより上記システムを無効化しようと試みるであろう。上記ベースから電源を取り去る行為が行われると、入室遅延は直ちに効力を失う結果となり、監視センタに警報が直ちに送信される。このように、上記ベースユニットは電源プラグを抜かれると、該ユニットは警戒度が低い状態になり、センサが突破されたことを直ちに認識するため、即時の警報に至る。そして、警報システムは、停止されるまで待機する。上記ユニットが持ち上げられたり、または、如何なる方法によって攻撃されたりした場合、警報音は即時に発せられる。なお、入室時間遅延は、所定の時間に予めプログラムされ得る。
【００９０】
上記警報装置は、上記システムを複数のサブシステムに分け、個別に警戒したり、警戒解除したりするためのホットボタン群を備えて構成されてもよい。しかし、ホットボタンの場合、ユーザは、インストーラに依存する代わりに、ユーザに適合するように、システムを構成可能であってもよい。加えて、所定のホットボタン群への、あるユーザたちのアクセスを許可するために、または許可しないために、ユーザ属性が設定されてもよい。これらのホットボタン群のためのユーザインタフェースは、従来の警報システムより、さらに簡単なものであってもよく、簡単なアイコンがそれぞれの群を識別するために用いられてもよい。上記システムは、これらの群の各々が警戒状態にあるか、非警戒状態にあるか、または警報中であるときに、レポートが送信されるように構成されてもよい。各レポートが送信される場所は、ユーザによって選択されてもよく、要望通りに、ホットボタン群毎に固有であってもよい。
【００９１】
上記ホットボタンにより、ユーザは、区域または警報を、必要に応じてアクティブ化できる。これにより、ユーザは、アクティブ化させたいものを、アクティブ化させたいときに、アクティブ化できる。したがって、ユーザは、最少のセンサを配置し、かつ、各センサをアクティブ化することができる。よって、上記システムは、あなたが中断できない安全を提供する。すなわち、センサまたは監視されている要素は、あなたが具体的にそれを非アクティブ化しない限り、非アクティブ化することはできないということになる。したがって、警報システムを非アクティブ化しても、要素をアクティブ化しているホットボタンは警戒解除されない。上記システムハンドヘルドアクティブ化ボタンは、ハンドヘルド制御のためにホットボタン群のプログラムができる機能を含んでもよく、これにより、ユーザが要求する場合に、群またはセンサをアクティブ化したり、非アクティブ化したりするための別の手段を提供する。上記ホットボタン群は、妨害要素によって覆されないように構成される。このような他の装置も、上記ベースユニットにおいて、またはフォブを用いて、そうするように具体的に所望されるか、または物理的に実行されるかしなければ、覆すことはできない。アクティブ化または非アクティブ化のためのシングルボタン操作は、ユーザに対して、融通性とさらなるセキュリティとを提供する。上記ホットボタン群は、単一のセンサ、または複数のセンサ、または、センサ群の集合を含んでもよい。
【００９２】
ユーザは、事前にシステム内に取り入れられたセンサ、または、上記ホットボタンの使用のために加えられたセンサから、センサを選択することによって各群を構成してもよい。ひとたび上記ホットボタン群に加えられると、これに限定されるものではないが、銃保管庫、酒類保管庫、ガレージ、来客用宿泊施設、ボート、及び野外設備のような、センサの上記群に関係する名称が割り当てられる。加えて、各群は、警報及びチャイムとして用いられる音を割り当ててもよく、これにより、ユーザは、発せられた音のみによって、どのホットボタン群がアクティブなのかを特定することができる。また、メッセージの送信、及び音の設定ができるという特有の性能に加えて、ホットボタン群の使い勝手の良さとその仕組みによって、該機能の実現を独特なものにしている。したがって、もしユーザが銃保管庫、宝石箱、酒類保管庫、または彼らが特に監視したいと考える何かを所有しているのであれば、上記ベースユニットはそのような要素を読み込むようにプログラムされてもよく、単一のボタンの押下によって、関心のある品目の特定の監視をアクティブ化してもよい。これにより、ユーザは、品目が許可なくいじられた時を知ることができ、可聴性の警報が上記センサ及び上記ベースユニットにおいて発せられるのと同じことを示すメッセージを受け取ることができる。
【００９３】
上記警報装置は、自動接続機能を備えて構成されてもよい。上記自動接続機能は、電力が上記ユニットに初めて供給されると、ユーザに対して、続行を希望することを承認するために尋ねる、システムプログラムを含んでもよい。このとき、上記ユニットは、もっとも強いセル信号を自動的に取得し、上記無線トランシーバを通じてそのプロバイダへと自動的に接続する。それ以上のユーザアクションは要求されないし、電話番号の入力も不必要である。この機能は、シリアル番号または他の識別機能を通じてユニットを特定するための情報であって、上記警報装置ユニットのそれぞれに関する情報がプリセットされたバックエンドを備えることによって実現されてもよい。そして、ひとたび電力が上記ユニットに初めて供給されると、電力が初めて供給されたことを示すメッセージがバックエンドへと送信される。このメッセージは、請求書作成周期、及び遠隔サービスを開始するメッセージであり、かつ、上記システムが適切に機能していることをユーザに通知するメッセージでもある。上記利用は、サービス料金を自動的に支払うために、及び、支払いのためのクレジットカード情報を入力することによりセンサを注文するために、携帯電話及び監視ステーションに自動的に接続してもよい。
【００９４】
上述の機能に関連して、バックエンドの上記データベースは、各ユニットのアカウント番号、及び中央監視ステーション（ＣＭＳ）の電話番号を予め設定されている。上記ユニット自体の内部には、すべての警報メッセージ、及びテストメッセージが、予めセットされており、該メッセージは、上記ＣＭＳ、及びユーザの以前特定された問い合わせ先、または電子メールアドレスへ送られている。したがって、上記監視サービスに伝達されるメッセージのために、ユーザによるさらなるプログラミングを要求しない。
【００９５】
上記警報装置は、各センサが上記システム内に登録されているので、センサの型とセンサ番号とが帰属された、センサ中央監視ステーション（ＣＭＳ）自動接続機能を備えて構成されてもよい。これらの型、及び番号は、任意の警報、または他のセンサ送信の一部として上記ＣＭＳへ伝達される。これにより、各センサにおいて予め設定されているデータベースを用いることなく、ＣＭＳを各メッセージに対応させることができる。よって、ユーザは、上記ＣＭＳ内の上記データベースのアップデートを要求されることなく、センサを自在に追加したり、変更したりすることができる。
【００９６】
もし、センサメッセージが、電子メール、ショートメッセージサービス（ＳＭＳ）、マルチメディアメッセージサービス（ＭＭＳ）番号、または携帯電話への他の型のテキストメッセージ、及び／またはパーソナルコンピュータへの電子メールの送信へ送信されると。上記メッセージは、上記センサの型のみならず、ユーザによって登録された上記センサの英語名称、または他の言語での名称を含んでもよい。上記ＣＭＳ送信の場合、上記名称はこの時点では送信されていない。上記ＣＭＳに上記名称、及びこの時点で送信されているセンサ番号情報の中の他のセンサの型が送信されるように機能拡張され得る。これは、メッセージが上記バックエンドから上記ＣＭＳへと送信されるように変更することにより実行される。これらのシステム間の業界標準メッセージは、名義書き換えに対応するために変更されてもよい。
【００９７】
上記装置の通信部は、多数のベースステーションを一緒に接続したり、ルーピングしたりするための機能を含んでもよい。多数のユーザ警報システムが、上記ベースユニット内へ、または上記ＣＭＳのスイッチを介して、具体的に登録されている友人ユーザの状態を確認し得る。これにより、上記警報システムは、特定の友人ユーザと、ソーシャルメディアレベルにおいて相互作用することができる。
【００９８】
アラーム時計が、上記警報装置に設けられて構成されてもよい。この機能は、上記警報ユニットのホーム画面上のボタンを用いて構成されてもよい。このボタンは所定の構成であってもよく、目覚ましアラームのアクティブ化、または非アクティブ化のための、オンまたはオフのいずれか一方であってもよい。ユーザは、上記セットアップ画面に移動し、アラーム時間を変更するために上記アラーム時計ボタンを選択する必要がある。上記アラームが設定され、起床時間として設定された特定の時間と一致したときに、上記ユニットはビープ音（前もって選択されていたレベルで）を開始するであろう。そして、現在の日付、時刻、及びアラームを切るか、所定のスヌーズ時間を設定するか、のボタンを表示する。この機能は、バッテリの消耗を低減するために、上記監視機能に対するエネルギーの供給または非供給を行なうために用いられてもよい。
【００９９】
この機能は、上記警報システムに完全に集約され得る。基本的な警報機能は、常に、上記目覚ましアラームよりも優先される。両システムは、いずれか一方のシステムの性能を犠牲にすることなく、同時に用いられる。
【０１００】
上記警報システムは、外部の遠隔通信要素、または、看板２００を含んでもよい。この機能は、警備システムを備える誰かの家の庭においてよく目にするような、野外看板と連動して働く。しかし、看板２００は、セキュリティシステムが警報状態にあるとき、任意の通行人の注意を引くような方法で、上記ベースユニットと通信可能な追加のトランシーバとして機能する性能を有してもよい。看板の周囲、及び看板につけられた点滅光を用いてこれを達成してもよい。上記システムは、上記ベースユニット内の送信要素と、上記看板内の受信要素とを含んでもよく、これらは、上述した照明のような信号装置と接続されてもよい。庭看板２００により、緊急作業員は、住所をより簡単に見つけることができる。さらに、庭看板２００は、緊急要員が、速やかに上記警報が発せられた場所を見つけられるように、関心領域を照らすグリッドまたは家の配置図／見取り図を含んでもよい。さらに、庭看板２００は、上記ベースユニットが持ち去られたり、破壊されたりした場合のバックアップとしてアクティブ化してもよい。
【０１０１】
上記警報システムは、警報、場所、または上記警報システムから送信されるその他のもの送信の妨害を防ぐことが可能な、妨害対策装置を備えて構成されてもよい。この機能は、ＧＳＭ周波数を妨害することにより上記システムを打破しようとする侵入者の試みを検知するために用いられてもよい。モデムによってそのような妨害が検知されたとき、メッセージは上記ユニットのソフトウェアに送信されて、局所警報の音が発せられる。これにより、現地の任意のユーザに通知し、妨害が行われているＷＩ−ＦＩまたはＥｔｈｅｒｎｅｔ（登録商標）などの有線手段または無線手段のいくつかの代替を介してメッセージを送信する。妨害対策；妨害を示す音声警報；ＷＩ−ＦＩへの切り替え。
【０１０２】
上記警報システムは、無線ローカルエリアネットワーク（ＷＬＡＮ）と接続するために、無線またはＷＩ−ＦＩ要素を含んでもよい。この機能は、無線通信の複数のパスを含んでもよい。ある場合、あなたは第１のセルラモデムとバックアップのＷＩ−ＦＩモデムとを有していてもよい。反対に、あなたは第１のＷＩ−ＦＩモデムとバックアップのセルラモデムとを有していてもよい。大抵の無線通信モデムは、ホストのマイクロプロセッサにステータスメッセージを提供しているため、携帯電話の基地局、またはＷＩ−ＦＩハブへの通信のようなサービスを第１通信モデムが有しているかどうかを特定することができる。その際、上記ベースユニットは、上記バックアップサービスへ自動的に切り替えてもよい。さらに、所定の試行回数を使い果たしてもなお、第１のサービスを用いたメッセージの送信に失敗するときには、いつでも、上記バックアップサービスへ切り替えることも可能である。上記ベースユニットが、ＷＩ−ＦＩモデム、Ｂｌｕｅｔｏｏｔｈ（登録商標）、または他の無線型通信要素を介して、ＷＬＡＮにおいて予めアクティブ化されていてもよい。したがって、上記ユニットは、警報または他のシステム信号を、上記監視ステーションを経由せずに、ユーザまたは他の特定された監視装置に直接送信するために、ＷＬＡＮまたは他のネットワークとの接続性を有していてもよい。
【０１０３】
無線セキュリティシステムの経済性を考慮したとき、ユーザに彼らの通常のインターネットサービス以外に何も追加の費用をかけないため、第１のＷＩ−ＦＩサービスを有していることは利益をもたらすであろう。上記ＧＳＭバックアップは、そのサービスが実際に使用されたときにのみユーザが請求されるように構成され得る。高い確率で、このサービス料が高くなる可能性があるが、しかし、稀な状況での利用であるため、ユーザに対する総合的な経費節約は充実している。上記ＷＩ−ＦＩサービスによって、ユーザは電子メール監視を有することができ、及び、上述したように、ユーザが監視費用を払うために、または、要求に応じてアクセサリを注文するために、上記監視ステーションと接続することができる。したがって、ユーザは、上記サービスまたはアクセサリの費用を、必要に応じて支払うだけでよい。
【０１０４】
図を参照すると、図１〜９は、人々、及び／または、人々の資産を保護する例示的なセキュリティシステムを示す。システム１００は、これに制限されるものではないが、概ね、セルラベースステーション（図示せず）、通信ネットワーク１０８、パーソナルコンピュータ（ＰＣ）１１０、ネットワークサーバ（図示せず）、および中央監視ステーション（ＣＭＳ）１１４を含み得る、複数の遠隔ネットワーク装置１０４と接続されたユーザの所有物１０２を含む。通信ネットワーク１０８は、大抵、ユーザの所有物１０２において選択的に統合された警報監視装置１２０を伴う民生用警報監視ベースユニット１４０から、これに限定されるものではないが、消防、警察、救急車などの少なくとも１つの緊急要員サービス１０６に接続され得る、ＰＣ１１０及びＣＭＳ１１４のような、遠隔ネットワーク装置１０４への通信を可能にする。図２に示される実施形態において、ユーザの所有物１０２は、統合されたガレージ付きの家屋１１６を含む。しかし、ユーザの所有物１０２は、例えば、事務所、アパート、ホテルルーム、倉庫ユニット、ガレージ、駐車場、建築現場、ボート、備品、または他の任意の場所、及び／または個人資産のような、資産の組合せまたは動産を含んでもよい。
【０１０５】
図１、２及び３に示された実施形態における民生用警報監視ベースユニット１４０は、家屋１１６内のテーブルの上に配置されている。警報監視ベースユニット１４０は、フロントパネル１４４、左サイドパネル１４６、右サイドパネル１４８、上部表面１５０、及び、下部表面１５２を備えるハウジング１４２内に形成されてもよい。ハウジング１４２は、１つ以上のユーザインタフェース１６０、１つ以上の統合された警報監視装置１６２、１つ以上の音声スピーカ１６６、及び、１つ以上のアンテナ１６４を含み得る。警報ベースユニット１４０は、統合された警報監視装置１６２を備えるスタンドアロンの警報システムとして、または、複数の警報監視装置１２０と選択的に相互接続された警報ベースユニット１４０として、機能するように構成されてもよい。警報ベースステーション１４０は、多くの品目と様々な形態の個人資産とを保護するために、無線信号を介して相互に接続された複数のベースユニット１４０、及び／または、１つ以上の小型警報監視装置１２０と相互に接続された複数のベースユニット１４０を含み得る、携帯可能な警報装置またはシステムである。
【０１０６】
図１〜３に示す例は、動作センサ１２２、ドア／窓センサ１２４、ガラス破損センサ１２６、及び、煙検知センサ１３０を含み得る、様々な小型警報監視装置１２０を示している。上記で論じたように、実用性と監視される特定の品目とに応じて、様々な他のセンサを警報システム１００の例において使用してもよい。例えば、図２を参照すると、ユーザの所有物１０２の例は、他のセンサが監視されていない間、キャビネット２２２の中身を監視するために、キャビネット２２２へ接続されたホットボタンセンサ２２０を含む。このことについては、下記において、より詳細に論じられる。さらに、選択的に取り付け可能なラトルループ２２４は、一対のスポーツ車両２２６に取外し可能に接続されている。ラトルループ２２４は、センサハウジング２２８内に構成され、ラトルループ２２４の動きを検出して、警報信号をベースユニット１４０へ送信する、加速度計（図示せず）、傾斜センサ、及び／または、振動センサを含んでもよい。ベースユニット１４０において、該警報信号は処理され、ユーザ１１６またはＣＭＳ１１４へ送信される。
【０１０７】
システム１００は、警報ベースステーション１４０と警報監視装置１２０とが他の遠隔装置と通信することを可能にする、携帯可能なハンドヘルド装置またはコントローラ１２８、及びサービスのような、設備及び装置も含んでいてもよい。セルラベースステーション（図示せず）は、概ね、無線またはセルラネットワークと接続された無線通信基地局である。通信ネットワーク１０８は、そのようなセルラネットワークを含んでもよく、ベースユニット１４０の適用、及び／または位置に応じて、様々な広域ネットワーク（ＷＡＮｓ）及びローカルエリアネットワーク（ＬＡＮｓ）も含んでもよい。大抵、通信ネットワーク１０８は、警報ベースユニット１４０及び警報監視装置１２０から、ＰＣ１１０、ハンドヘルド装置１１２、ウェブサーバ（図示せず）、及びＣＭＳ１１４のような他の装置への通信を可能にする。
【０１０８】
ＰＣ１１０は、大抵、任意のインターネットに接続されたパーソナルコンピュータである。大抵、ユーザ１１６は、ユーザ所有物１０２を監視するため、ベースユニット１４０及び監視装置１２０を構成するため、及び、システム１００内の任意の数の異なる装置からの情報を受信するため、ＰＣ１１０を使用できる。さらに、ハンドヘルド装置１１２は、大抵、任意の利用可能なネットワークに接続された携帯電話またはデジタル電話であってもよい。ハンドヘルド装置１１２は、ベースユニット１４０、及び無線で接続された監視装置１２０を監視し、制御するように構成されてもよく、かつ、ハンドヘルド装置１１２は、ベースユニット１４０から転送された任意の情報を受信するように構成されてもよい。
【０１０９】
ある実施形態において、ＰＣ１１０とハンドヘルド装置１１２を用いるユーザ１１６は、ベースユニット１４０から直接的に、または、ウェブサーバ（図示せず）またはＣＭＳ１１４のような中継を介して間接的に情報を受信してもよい。他の実施形態において、ユーザ１１６は、ＰＣ１１０またはハンドヘルド装置１１２を利用することにより、直接的または間接的のいずれかによって、警報ベースユニット１４０との間で情報を送受信してもよい。例えば、警報ベースユニット１４０と警報は、ＣＭＳ１１４と通信してもよく、これにより、ウェブサーバ（図示せず）と通信することになる。ＰＣ１１０またはハンドヘルド装置１１２を用いるユーザ１１６は、ベースユニット１４０と警報監視装置１２０とから情報を受信するウェブサーバ（図示せず）と通信してもよい。または、ユーザ１１６は、所望する構成および利用可能なネットワーク接続に依存して、ＣＭＳ１１４を介して、または、ベースユニット１４０へ直接的に、構成変更を要求することができる。
【０１１０】
ＣＭＳ１１４は、ユーザ所有物１０２内のベースユニット１４０及び警報監視装置１２０の持続的な監視を提供し、セキュリティ事象に応じて追加のセキュリティ補助を提供する。例えば、中央監視ステーション１１４は、警報ベースステーション１２２または警報監視装置１２０からの定期的な更新を受信してもよい。そのような更新の中断が発生した場合において、中央監視ステーション１１４は、ユーザ所有物１０２を呼び出し、またはユーザ所有物１０２へ警察を急派するような、様々なサービスを提供してもよい。あるいは、より詳細は下記に記載するが、警報監視装置１２０は、ベースステーション１２２の範囲外かどうかを決定し、例えば位置追跡を可能にすることによって応答するように構成されてもよい。この具体的なアプローチにおいて、ベースステーション１２２または中央監視ステーション１１４は、上述した様々なサービスを提供してもよいし、あるいは、警報監視装置１２０は、様々なサービスを要求するため、及び／または、提供するために、通信ネットワーク１０８によって直接的に通信してもよい。
【０１１１】
ベースユニット１４０は、無線通信システム（図示せず）を含んでもよい。該無線通信システムは、ベースユニット１４０内に構成され、大抵、既知の通信プロトコルを利用する、警報監視装置１２０、及び、ＣＭＳ１１４または遠隔ネットワーク装置１０４との間の無線通信を可能にする。無線通信システムは、大抵、ベースユニット１４０内、及び、遠隔装置１０４、及び／またはＣＭＳ１１４と無線通信するための、プロセッサ（図示せず）及びユーザインタフェース１６０との電気通信において、セキュリティが確保される。無線通信システムは、アンテナ１６４（図３−６、８−９を参照）を含んでもよく、アンテナ１６４に接続された短距離通信装置、及び長距離通信装置を含んでもよい。例えば、無線通信システム１３２は、低電力ラジオ、ＷＩ−ＦＩ装置、Ｂｌｕｅｔｏｏｔｈ装置、または他の短距離無線通信装置を含んでもよい。さらに、無線通信システム（図示せず）は、公知の通信プロトコルを利用する様々なネットワークとの長距離のアナログ通信用のセルラモデム、及び／または、公知の通信プロトコルを利用する様々なネットワークとのデジタル通信用のセルラモデムも含んでもよい。ある実施形態において、警報監視装置１２０は、ＣＭＳ１１４と直接通信するよう構成されてもよい。さらに、警報システム１００は、ユーザ所有物１０２に設けられた、またはユーザ所有物１０２に近接する看板２００を含んでもよい。該看板は、１つ以上のベースユニット１４０及び監視装置１２０から緊急要員へ警報信号２０８を中継するために、ＣＭＳ１１４、及び／または遠隔ネットワーク装置１０４と直接通信できるように構成された無線通信システム（図示せず）によって構成されてもよい。
【０１１２】
図２に示される例示的な看板２００は、ユーザ所有物１０２の構造物２１６、または、緊急要員が警報を容易に見ることが可能ないくらかの他のスポットに配置されてもよい。例示的な看板２００は、所有物１０２の識別名２０６の他に、少なくとも１つのインジケータ２０２を含んでもよい。インジケータ２０２は、緊急要員がすぐに特定できる目印を提供するために、フラッシュライト、ストロボ、または他の照明装置の形式の視認可能なインジケータまたは、照明要素であってもよい。あるいは、インジケータ２０２も、サイレンまたは他の聴覚装置の形式で可聴性のインジケータであってもよい。識別名２０６は、ベースユニット１４０内に、または看板２００内に、所定の、所有物の郵便アドレス、ユーザ１１６電話番号、または電子メールアドレスに対応する一連の数字であってもよい。看板２００は、ユーザ所有物１０２の構造物２１６配置図に対応するグリッド２０３を含んでもよい。グリッド２０３は、ベースユニット１４０、及び最終的に看板２００へ警報信号を送る監視装置１２０の配置を示す、１つ以上の識別名２０４を含んでもよい。識別子は、緊急要員を構造物２１６またはユーザ所有物１０２内の特定の場所へ導くように視覚的に指図する、小さな発光ダイオード（ＬＥＤ）であってもよい。
【０１１３】
照明要素は、赤外線センサまたは１つ以上の従来のライトを含んでもよい。従来のライトは、照明要素、及び／または看板２００に配置されたバッテリの充電状態を示すための、１つ以上の発光ダイオード（ＬＥＤ）、白熱電球、及び高強度放電電球を含んでもよい。
【０１１４】
本実施形態において、中央監視ステーション１１４、及び／または遠隔ネットワーク装置１０４は、ベースユニット１４０から定期的な更新を受信する。そして、そのような更新の中断が発生した場合、中央監視ステーション１１４は、顧客所有物１０２を呼び出したり、または顧客所有物１０２へ緊急要員を急派させたりするような様々なサービスを提供してもよい。あるいは、警報ベースユニット１４０は、ベースユニット１４０が移動したかどうかを検知し、例えば、ベースユニット１４０内に構成される全地球測位衛星（ＧＰＳ）トランシーバ（図示せず）のように位置追跡を可能にすることにより応答するために、１つ以上の内在の動作センサを備える盗難防止の機能を含んでもよい。あるいは、上述したように、１つ以上の受動赤外線（ＰＩＲ）センサまたは探知機である赤外線センサ１６２を含んでもよい。それらは、ユニット境界領域における体温を介して動きを検知するために用いられてもよいし、受動赤外線光線によって領域を照らすために管理されてもよい。センサは、ハウジング１４２に設けられてもよいし、及び／または監視装置１２０の動作検知１２２として配置されてもよい。センサ１６２、１２２は、用途に応じて所定の方向へ旋回するように構成してもよい。
【０１１５】
この例示的な取り組みにおいて、ベースユニット１４０は、上述した様々なサービスをさらに提供してもよい。あるいは、ベースユニット１４０は、様々なサービスを要求し、及び／または提供するため、通信ネットワーク１０８と直接通信してもよい。したがって、無線通信システム（図示せず）は、顧客所有物１０２内に配置された監視装置１２０と通信可能であり、かつ、セルラネットワーク、及び／またはインターネットを介して遠隔装置１０４と通信可能である。
【０１１６】
ユーザインタフェース１６０は、前部表面１４４に形成されるものとして示されており、様々なスイッチ、インジケータ、および制御を含む入力をユーザ１１６に提供する。例えば、ユーザインタフェース１６０は、囲われた場所１２４内に確保されたコントロールパネルであってもよく、画面を介して、または遠隔ネットワーク装置１０４を介して、警報装置のユーザ１１６が利用できるものであってもよい。ユーザインタフェース１６０は、ハウジング１４２内に配置されたプロセッサ（図示せず）内の様々な所定の命令を実行させる様々な制御アイコンまたはボタンを備えていてもよい。かつ、ユーザインタフェース１６０は、プロセッサと、電源スイッチ、ループオン／オフインジケータ、動作検知器オン／オフインジケータ、様々なインジケータライト、センサ選択スイッチ、及び数字または英数字のキーパッドのうちの少なくとも１つと、通信してもよい。アイコン及びボタンという用語は、要素のアクティブ化タイプを表すために交換可能に用いられる。ユーザインタフェース１６０は、液晶ディスプレイ（ＬＣＤ）として示されているが、しかし、他の周知のスイッチ及びディスプレイ、または、それらの組み合わせが、警報監視装置１２０の用途と複雑さとに応じて用いられてもよい。ユーザ１１６は、特定の装置１２２，１２４，１２６，１３０，２２０，２２６を警戒したり警戒解除したりする、ベースユニット１４０及び警報監視装置１２０をアクティブ化／非アクティブ化するための、１つ以上の制御装置を用いてもよい。さらに、ユーザ１１６は、様々な構成のオプション、センサ等（より詳細は以下に論じられる）を操作したり、アクティブ化／非アクティブ化したりするために、ユーザインタフェース１６０を介して、メモリ装置（図示せず）に保存された様々なコンピュータプログラムを含むプロセッサと相互作用してもよい。あるいは、警報監視装置１２０は、コントロールパネル１３４を含まなくてもよいが、コンピュータ１１０、ハンドヘルド装置１１２、キーフォブ１２８、または、他の公知の遠隔制御装置のような他の装置によって、または、該他の装置を介して、遠隔的に制御されてもよい。例えば、プロセッサ（図示せず）とメモリ（図示せず）は、ユーザ１１６が遠隔的に特定の警報監視装置１２０を形成し制御するためのユーザインタフェースとして、内部のウェブサーバを提供してもよい。
【０１１７】
さらに、図４−９をさらに参照することにより、ハウジング１４２の様々な例示的な実施形態が示される。具体的には、図４は、ハウジング１４２の前部表面１４４上において統合された動作センサ１６２として形成された警報監視装置１２０を備えるハウジング１４２を示す。他の警報監視装置１２０は、当然ながら、これに限定されるものではないが、カメラ、または他の上述した装置などを含んでもよい。カメラが用いられたとき、カメラは、アンテナ１６４の先端部分１６５（図９）に形成されてもよい。図５のベースユニット１４０は、上部表面１５０に配置された、統合された警報視覚的インジケータ１６８を示している。警報視覚的インジケータ１６８は、警報がアクティブ化したときに光る警報ビーコンとして用いられてもよい。あるいは、視覚的インジケータ１６８は、ユーザ１１６のための常夜灯または補助のライトとして用いられてもよく、コントロールパネル１６０を介してアクティブ化されてもよい。図５はまた、ソーラパネル１７０の形態での電源供給の例を示している。ソーラパネル１７０は、ハウジング１４２内に形成されたバッテリと相互に接続されてもよく、バッテリを再充電するためにベースユニット１４０へ代替の電源を提供し、またはＡＣまたはＤＣ電源（図示せず）が利用できないときベースユニット１４０へ即時の電力を提供してもよい。
【０１１８】
図６および７に示されるように、例示的なハウジング１４２は、内部コンポーネントへの流体による被害を防ぐための機能を含んでもよい。該機能は、上部表面１５０に配置された外側流体ドレイン１７２を含んでもよく、流体ドレイン１７２は、ハウジング１４２の上部表面１５０から、上部表面１５０または下部表面１５２の少なくとも一方に対して内部に形成された内部流体経路１７４へと流体を誘導するように構成されてもよい。流体ドレイン１７２および流体経路１７４は、警報事象がアクティブ化されたときに、ベースユニット１４０を無効化したり送信を止めたりするための侵入者による試みが行われても、内側コンポーネントが破損をしないように、水や他の流体汚染物質を防ぐ安全機能として備えられてもよい。
【０１１９】
図８と９をさらに参照すると、例示的なベースユニット１４０は、ハウジング１４２の左側１４６および右側１４８の両方に配置されたスピーカアウトレット１６６を含む。スピーカアウトレット１６６は、これに限定されるものではないが、圧電性のサウンド生成型装置のような、少なくとも１つの大音響装置を収容するよう形成されてもよく、単独で、または動作や警報が検出されたときにユーザ１１６に対して警報を知らせるための照明要素と組合せて用いられてもよい。さらに、図９を具体的に参照すると、上述のようなハウジング１４２は、メディアカードスロット１７６を含む。メディアカードスロット１７６は、任意の既知の媒体を受け入れるように構成されてもよく、プロセッサに追加のメモリを提供してもよい。メディアカードスロット１７６は、警報システム１００を操作するためのプログラムを変更、修正、または更新するために、プロセッサに対するファームウェアまたはソフトウェアの更新を受信するように構成されてもよい。メディアカードスロット１７６で受信されるよう構成された例示的な媒体は、これに限定されるものではないが、マイクロＳＤ及びミニＳＤのようなセキュアデジタル（ＳＤ）メモリカード、または他の既知のメモリカード媒体を含んでもよい。しかしながら、更新は、当然ながら、通信システム及び通信ネットワーク１０８の利用を介して行なわれてもよい。
【０１２０】
図１０は、例示的なキーフォブ１７８の形態での、ハンドヘルド遠隔装置１０４の例を示している。キーフォブ１７８は、ハンドヘルドハウジング１８０に形成された多数のボタンを備えてもよい。図示されるように、キーフォブ１７８は、ユーザ１１６がユーザ所有物１０２を離れるとき、警報システム１００を警戒状態にするための不在警戒ボタン１８２、または、ユーザ１１６が所有物１０２の内部に留まるとき、該システム１００を警戒状態にするための在宅警戒ボタン１８６を含む。キーフォブ１７８は、ベースユニット１４０チャイムをアクティブ化したりアクティブ化したりするための、警戒解除ボタン１８４とチャイムボタン１８８も含む。さらに、当然ながら、遠隔ネットワーク装置１０４、及びコントロールパネル１６０は、警報システム１００を制御するために、同様なアクティブ化ボタン、及びアクティブ化ボタンを備えてもよい。キーフォブ１７８を使用するとき、ＬＥＤまたは他のタイプの光源の形態でのインジケータライト１９０は、ボタン１８２、１８４、１８６、１８８が押下されたときを示すために用いられてもよい。キーフォブ１７８、ハウジング１８０は、これに限定されるものではないが、キーチェーンやひも（ｌａｎｙａｒｄ）のような運搬装置（図示せず）にキーフォブ１７８を取り付けるための貫通開口１９２を含んでもよい。
【０１２１】
警報システム１００の操作において、上述したように、コントロールパネル１６０、ＰＣ１１０、携帯用のハンドヘルド装置１１２とキーフォブ１２８、１７８を用いて警戒したり、警戒解除したりしてもよい。説明のために、コントロールパネル１６０とキーフォブ１７８について、以下において、より詳細を論じる。ベースユニット１４０の最初のセットアップは、ベースユニット１４０を従来のＡＣプラグコンセントへの電源ケーブル（図示せず）と接続することを含んでもよい。ベースユニット１４０は、自動的にコントロールパネル１６０を点灯させ、ユーザ１１６は、無線接続のために、ユニットに対して少なくとも１つの連絡先番号または電子メールを入力する。ユーザ１１６は、多数の警報監視装置１２０を追加してもよいし、または、統合された動作センサ１６２を使用してもよい。図１１−３９に目を向けると、動作センサ１６２は、ハウジング１４２の前面１４４に配置され、上述のように電源及びプロセッサと接続している。コントロールパネル１６０もまた、ハウジング１４２の前面１４４に配置され、パワーインジケータ２４２、通信ネットワーク１０８信号強度インジケータ２４４、及び現地時間時計２４６を含んでもよい。パワーインジケータ２４２は、いつ何時でも利用可能なバッテリ電源を示し、これに限定されるものではないが、ＡＣ及びソーラーのような動力源を表示してもよい。
【０１２２】
さらに、コントロールパネル１６０は、消音ボタン２４０、不在ボタン１９６、及び設定ボタン１９８のような、様々な機能アイコン、または、ボタンを含んでもよい。この特別な表示は、ホーム画面、または、警戒画面１９４と称されてもよい。警報システム１００を警戒させることは、コントロールパネル、または、キーフォブのいずれかの不在ボタン１９６、１８２を押下することを含んでもよい。ユーザ１１６が、警戒後に所有物１０２を離れるための一定の時間、及び警戒解除前に所有物１０２に入るための時間を、与えられるようにプロセッサ／メモリに、所定の時間をプログラムしてもよい。さらに、例示的なコントロールパネル１６０は、コントロールパネル１６０からの如何なる音も消すために押下される消音ボタン２４０を含む。このように、平安と静寂のため、消音ボタン２４０を押下する。ベースユニット１４０は、警報システム１００を設定するための迅速なアクセスを実現する設定ボタン１９８を含む。ひとたび設定ボタン１９８が押下されると、ベースユニット１４０は、個々のボタンをアクティブ化／非アクティブ化するための暗証番号（ＰＩＮ）を尋ねる。警報システム１００の警戒解除は、組み込まれている動作センサ１６２によって、ひとたび動作が検知されると、警戒解除画面１９５上の警戒解除ボタン２４８を選択するより前に、所定の侵入時間をユーザ１１６に与えるタイマーのトリガとなり、ユーザ１１６に、英数字キーパッド画面３１６（図１３）上のキーパッド３１７に所定のコードを入力するように要求してもよい。あるいは、ユーザは、キーフォブ上のロック解除ボタン１８４を選択してもよい。携帯可能なベースユニット１４０は、別個の予めプログラムされた指紋や網膜パターン（retinal signature）を走査し、または読み取るためにスキャナ（図示せず）を含んでもよいと考えられ、このように警報システム１００の警戒解除を許可する。
【０１２３】
警報システム１００がひとたび警戒解除されると、ベースユニット１４０は、ホーム画面１９４に戻り、該ホーム画面１９４において、ユーザ１１６は設定ボタン１９８をアクティブ化するように選択するか、設定画面２５０上に現れて、下記において詳細に論じられる多くのオプションから１つを選択してもよい。これらのオプションは、ＰＩＮ編集ボタン２５２、警報アクティブ化ボタン２５４、チャイムオン／オフボタン２５６、盗難防止ボタン２５８、ユーザボタン２６０、機能ボタン２６２、ホットボタン２６４、センサボタン２６８、及び、戻るボタン２７０の選択を含んでもよい。
【０１２４】
盗難防止ボタン２５８をアクティブ化することは、誰かがベースユニットを盗むことを防止するために役立ち得る。盗難防止ボタン２５８は、上述のように、かつ、より詳細は以下で論ずるが、動作センサ１６２、または内部の動作検知器、または振動センサと相互に接続させてもよい。アクティブ化した場合、盗難防止ボタン２５８は、ベースユニット１４０が移動されたり、打撃を受けたりしたとき、警報をアクティブ化する。盗難防止ボタン２５８は、ベースユニット１４０が不在モードでない（すなわち、警報システムがアクティブ化していない）とき、追加のセキュリティを提供することを意図している。このように、警報システム１００が警戒していなくても、盗難防止ボタン２５８は警戒している。もし、ベースユニット１４０が動かされた場合には、動作が停止するまで可聴音がスピーカ１６６を介して伝えられる。
【０１２５】
ユーザ１１６は、ＰＩＮ番号編集ボタン２５２を選択することによりユーザ情報を追加または削除してもよい。ユーザは警報ボタン２５４を介してアラーム時計を設定したり、アクティブ化したりしてもよく、または、ユーザは、コントロールパネル１６０上の個々のボタンをタッチし、または選択するときに発せられる可聴音を消すために、チャイムオン／オフボタンを選択してもよい。戻るボタン２７０の選択によって、ユーザは、以前のホーム画面１９４に戻される。
【０１２６】
ユーザ１１６は、センサリスト画面２７８を表示させるセンサボタン２６８を選択することにより、これに限定されるものではないが、ドア及び／または窓接触センサ１２４、ガラス破損センサ１２６、動作センサ１２２、及び煙検知器１３０のような、様々な警報監視装置１２０を管理したり、追加したりしてもよい。センサリスト画面２７８は、追加ボタン２８０Ａ、削除ボタン２８０Ｂ、編集ボタン２８０Ｃ、バイパスボタン２８０Ｄ、及び実行ボタン２８１を含んでもよい。監視装置１２０の１つを追加するより以前に、削除ボタン２８０Ｂ、編集ボタン２８０Ｃ、バイパスボタン２８０Ｄは利用可能ではないことに注意すべきである。追加ボタン２８０Ａを押下することにより、学習モード画面２８２を表示し、図１５Ｂに示されるように、各監視装置１２０の学習ボタン（図示せず）を押下するための、所定の時間をユーザ１１６に与える。ひとたび学習モードが完了すると、ベースユニット１４０は、監視装置１２０の信号が認識されていることを確認するためにチャイムを発する。
【０１２７】
さらに、センサ識別画面２８４（図１５Ｃ）は、センサリスト２７８上に現れる、登録された監視装置１２０のための特定のラベルをユーザが選択できるように表示されてもよい。例えば、監視装置１２０が、ドア及び窓の接触センサ１２４間で選択されたとき、ユーザは、センサ１２４が、ユーザ所有物１０２の前方、後方、またはガレージの上に配置されていることを特定してもよい。センサ１２４は、各監視装置１２０を識別する特定の警報音により指定されてもよい。これにより、ユーザ１１６は、警報システム１００のサイレンが鳴る前に、選択された音が所定の音量で繰り返されることが、特定の違反であることを認識することができる。このことは、どの監視装置が作動しているのかを耳で聞いて認識することを可能にする。ひとたび特定の監視装置が、センサリスト画面２７８に列挙されると、ユーザは、これに限定されるものではないが、削除ボタン２８０Ｂを選択することによってセンサを削除するなど、以前に列挙されたボタンの１つを実行することによりセンサを変更することができる。そして、図１５Ｄに示されるように、削除確定画面２８６が表示される。
【０１２８】
監視装置１２０の編集は、ユーザ１１６に、監視装置１２０の名称、機能、チャイム、または音を変更することを可能にする。上述のように、監視装置１２０が追加された後、編集ボタン２８０Ｃはアクティブとなり、ひとたび選択されると、特定の監視装置１２０のための特定の編集画面２８８（図１６）が表示される。編集画面２８８において、ユーザ１１６は、名称ボタン２８９Ａを選択することにより、監視装置１２０の名称の削除、または編集することができる。該名称ボタン２８９Ａは、ユーザ１１６による監視装置１２０のための特定の名称またはタイトルの入力を可能にする英数字キーパッド（図２５Ｂまたは３９）を表示する。機能ボタン２８９Ｂを選択することで、ユーザ１１６は、どのように監視装置１２０をアクティブ化するかを設定するための機能ボタン（例えば、これに限定されるものではないが、境界遅延、境界即時、室内即時、室内遅延、屋外即時、屋外遅延、煙検知器、警察パニック、医療パニック、ホールドアップボタン、水警報、低気温、高気温、及びガス警報など）を所定のリストから選択することにより、監視装置１２０のタイプを変更する。チャイムは、チャイムボタン２８９Ｃを選択することにより、止めたり鳴らしたりしてもよい。操作者は、これに限定されるものではないが、サイレン、ゴング、ベルなどの、選択された監視装置１２０のための特定のサウンドを選択してもよい。ひとたびユーザ１１６が所望の選択をすると、ユーザは全ての変更を認めるために、実行ボタン２８１を選択してもよい。
【０１２９】
あるいは、ユーザ１１６が、警戒／警戒解除の１つのサイクルを通して無視させたい特定の監視装置１２０は、迂回させてもよい。例えば、ユーザ１１６が、窓が開いている間、窓センサ１２４を解除させる一方、残りの警報システム１００を警戒させたい場合、ユーザ１１６は、バイパスボタン２８０Ｄを選択できる。ひとたびバイパスボタン２８０が選択されると、ユーザ１１６に特定の監視装置１２０を選択させるバイパス画面（図示せず）が表示され、その装置がハイライトされている間、装置１２０を迂回するため、個別のバイパスボタン（図示せず）を選択させる。
【０１３０】
さらに、図１７および１８は、設定ボタン１９８及び消音ボタン２４０と共に、センサボタン／アイコン２９２（図１７）、在宅ボタン／アイコン２９４、不在ボタン／アイコン２９６を含むセンサホーム画面２９０を示している。センサトラブルボタン／アイコン２９８は、ユーザ１１６に特定の監視装置１２０の問題を通知するために含まれてもよい。センサボタン２９２は、選択されたとき、開放されている監視装置１２０を示し、一方、トラブルボタン２９８は、選択されたとき、トラブル状態の特定の監視装置１２０を示す。センサボタン２９２及びトラブルボタン２９８の１つを選択することにより、これに限定されるものではないが、開放／閉鎖、低電力、遺失、改ざん、及び迂回などの、すべての現在の監視装置１２０の状態を示す、リスト画面２７８と同様の個別のリスト画面を表示する。
【０１３１】
監視装置１２０は、警報システム１００の近くにおいて潜在的な侵入者を検知するための動作検知器などの、異なるタイプのセキュリティ事象を検知するための、１つまたは複数の装置を含んでもよい。大抵、動作検知器１２２、１６２は、検知器１２２、１６２の外側区域を監視するように適用される。動作検知センサ１２２、１６２は、受動赤外線（ＰＩＲ）、超音波、及びマイクロ波を含む任意の数の異なる技術を利用してもよい。さらに、内部の振動センサ（図示せず）は、１つ以上の次の装置を利用することにより、移動を検知してもよい。該装置としては、傾斜センサ、振動センサ、または、加速度計が挙げられる。内部の振動センサは、これに限定されるものではないが、機械センサ、または、微小電気機械センサ（ＭＥＭ’ｓ）であってもよい。これらのセンサは、ベースユニット１４０及び対応する監視装置１２０が警戒している間に、警報システム１００からベースユニット１４０または他の同様に装備された遠隔監視装置１２０が持ち上げられた場合、即時の警報を生成するために用いてもよい。さらに、動作センサ１２２，１６２は、照明要素１６８を点灯するための方法として用いられてもよい。看板２００は、看板２００が動かされたり、無効化されたりすることを防ぐために、このような内部の振動センサ、または、動作センサ１２２、１６２を含んでもよい。
【０１３２】
監視装置１２０は、熱センサ、煙検知器、デジタル温度計、雨量計、ガラス破損センサなどを介して、環境状態を監視してもよい。監視装置１２０は、監視装置１２０と共に含まれ得る、マイクロフォン、及び／または、ビデオカメラ、または、ウェブカメラを利用することにより、監視装置１２０の周りの領域から視聴覚的なフィードバックを提供してもよい。さらに、監視装置１２０は、無線通信システムを介して、ベースユニット１４０と無線通信するように構成されたトランシーバを含んでもよい。セキュリティ事象を引き起こしている監視装置１２０に応じて、可聴性の警報がベースユニット１４０において生じる。さらに、監視装置１２０は、直接的に、または間接的に、セキュリティ事象、及び／または、ベースユニット１４０、中央監視ステーション１１４、または、任意の他の装置へメッセージの送信に応じて、ベースユニット１４０内に配置されたＧＰＳトランシーバを使用可能にしてもよい。例えば、セキュリティ事象を引き起こすことは、携帯可能なハンドヘルド装置１１２およびＰＣ１１０などの遠隔ネットワーク装置１０４へＳＭＳ、ＭＭＳ、または別のタイプのテキストメッセージを、警報監視装置１２０、ベースユニット１２２、または中央監視ステーション１１４が送信することを含む。
【０１３３】
警報システム１００は、設定ボタン１９８および消音ボタン２４０と共に、在宅警戒ボタン／アイコン２９４、不在警戒ボタン／アイコン２９６を含む、ホーム画面３０２で開始する特定の警戒オプションを含んでもよい。もし、ユーザ１１６が在宅であり、警報システム１００にユーザ所有物１０２を監視させたい場合、ユーザは、在宅警戒ボタン２９４を選択してもよい。これにより、すべての室内の監視装置１２０が警戒解除されていても、所有物１０２境界を警戒させることにより、即時にシステム１００を警戒させる。
さらに、上述のように、ユーザ１１６は、キーフォブ１２８、１７８上において、在宅警戒ボタン１８６を選択してもよい。ユーザ１１６によって警戒解除画面３０４上の警戒解除ボタン２９５を選択し、英数字キーパッド画面３１６（図１３）上のキーパッド３１７へ所定のＰＩＮ番号を入力することにより、警報システムの警戒解除がなされる。あるいは、ユーザ１１６は、キーフォブ１２８、１７８を用いて、ロック解除ボタン１８４を押下することにより、システムを警戒解除することを選んでもよい。即時モードで在宅警戒ボタン１８６をアクティブ化するとき、室内の監視装置１２０が警戒解除されており、境界監視装置１２０が、通常の遅延によって警戒される間、ベースユニット１４０が警戒させられる。さらに、即時モードで不在警戒ボタン１８２をアクティブ化するとき、すべての監視装置１２０がアクティブ化されて、ユーザ１１６には、通常の入退室遅延時間が与えられる。
【０１３４】
さらに、警報システム１００は、ユーザ１１６が、ユーザ所有物１０２にペットや人を残せるようにするためのペットモード３０６（図２１）を含んでもよい。ペットモード３０６は、不在警戒ボタン２９６を押下することにより選択的にアクティブ化されて、退出時間警戒秒読み３１０を始動させ、かつ、ユーザに対して、次にペットオフボタン３０８を押下するための時間を提供する。警戒秒読みタイマー３１０が作動中にペットモードボタン３０８を押下することにより、ペットオンであることが読み取れるようにペットモードボタン３０８を変更し、かつ、残りの境界監視装置は警戒したまま、室内の監視装置１２０及び少なくとも１つの入口ドアを警戒解除する。監視装置１２０を作動させることなく所有物１０２に再侵入するために入口ドアを警戒解除することによって、ベースユニット１４０へ送られる警報信号を止める。
【０１３５】
警報システム１００は、キーフォブ１７８上の在宅警戒ボタン１８６、または、不在警戒ボタン１８２を２度押下することによりアクティブ化される即時モードを含んでもよいことは知られているであろう。即時モードでは、即時警報を提供し、ベースユニット１４０の動作センサ１６２が動作を検知する。即時モードはキーフォブ１７８上のロック解除ボタン１８４を押下することによって無効となってもよい。
【０１３６】
警報事象が引き起こされた事象において、警報画面３１２（図２２）はアクティブ化されて、作動している監視装置１２０のリストが画面３１２上に列挙されてもよい。上述のように、サイレンは、所定の時間にわたって鳴り、視覚的インジケータ１６８は警報システム１００が警戒解除されるまで点灯する。さらに、テキストまたは電子メール通知の少なくとも１つが、所定の連絡先アドレスへと送られ、メッセージは、件名に警報の名称を含んでもよく、警報が記録されているメッセージの中に、作動した監視装置１２０が含まれてもよい。さらに、ベースユニット１４０は、専門の監視が使用されたときＣＭＳ１１４へとメッセージを送信してもよい。
【０１３７】
上述のように、設定画面２５０は、それが選択されたときに、ユーザ１１６がユーザリスト３１４（図２３Ａ）へアクセスできるユーザボタン２６０を含んでもよく、ユーザリスト３１４は、追加ボタン３１５Ａ、削除ボタン３１５Ｂ、編集ボタン３１５Ｃ、及び実行ボタン２８１を含んでもよい。追加ボタン３１５Ａを選択することは、キーパッド３１７へＰＩＮ番号を入力させること介してユーザ１１６を誘導し、ユーザ１１６を特権画面３１８（図２３Ｂ）へと案内する。特権画面３１８は、ユーザ１１６に警報システム１００を警戒解除させることのみを許容する第１のレベル３２０Ａ、ユーザ１１６にセンサの迂回と警報システム１００を警戒解除させることとを許容する第２のレベル３２０Ｂ、及び、ユーザ１１６にすべての特権を許容する第３のレベル３２０Ｃを含んでもよい。当然ながら、他の特権レベルが設けられてもよく、上記の３つのレベルは単なる例である。さらに、ひとたび新ユーザ１１６が追加されると、警報システム１００は、ユーザリスト３１８に列挙された各ユーザ１１６のために、遠隔ネットワーク装置１０４を追加するよう構成されてもよい。警報システム１００は、リモコン追加画面３２２（図２３Ｃ）にユーザ１００を導き、「はい」を選ぶことによって、ユーザに追加のネットワーク装置１０４の追加をさせ、または、「いいえ」を選ぶことによって、ユーザ１１６に追加のネットワーク装置１０４を追加しないことを選択させてもよい。遠隔ネットワーク装置１０４を追加するためには、遠隔ネットワーク装置アクティブ化画面３２４（図２３Ｄ）上に表示されるとおり、「はい」ボタンが選択された後に、装置１０４上のボタンが押下されなければならない。ベースユニット１４０は、新しい遠隔ネットワーク装置１０４が無事に追加されたとき、チャイムで知らせることも可能である。
【０１３８】
アクティブ化されているときに、ユーザ１１６が緊急要員と協同で使用される特定ボタンを選択できる場所において、パニック機能画面３２６（図２３Ｅ）を提供してもよい。具体的には、ユーザ１１６は、ネットワーク装置１０４パニック機能のために、警察ボタン３２８Ａ、医療ボタン３２８Ｂ、または警報なしボタン３２８Ｃの中から選択してもよい。ひとたび遠隔ネットワーク装置上の各ボタンが割り当てられても、または、割り当てられなくても、ユーザ１１６は、実行ボタン２８１を選択し得る。さらに、当然ながら、パニック機能を割り当てられることが可能な唯一のボタンは、在宅警戒ボタン１８６及び不在警戒ボタン１８２である。ユーザ１１６は、警察と医療緊急要員に警報を出すために、所定の制限時間の間、各ボタン１８２、１８６を押下した状態を維持すべきである。
【０１３９】
ひとたび新ユーザ１１７の追加が完了すると、新ユーザ１１７はユーザ２（図２３Ｆ）としてユーザリスト３３２に表示される。ユーザ１１６、１１７の１人を削除または編集するために、ユーザリスト３３２に配列されたユーザたちを特定する名称が選択され、削除ボタン３１５Ｂまたは編集ボタン３１５Ｃの一方が押下されると、ユーザ削除画面３３４（図２３Ｇ）または、ユーザ編集画面３３６（図２４Ａ）を表示する。ユーザ１１６，１１７を削除するために、「はい」または「いいえ」ボタンが選択されると、該ユーザは警報システム１００から取り除かれる。さらに、もし、削除されたユーザに遠隔装置１０４が割り当てられている場合、該遠隔装置１０４も警報システム１００から削除される。あるいは、編集中に、ユーザ１１６，１１７は、対応するＰＩＮ番号ボタン３３８、名称ボタン３４０、遠隔ボタン３４２、及び特権ボタン３３６を押下することによって、ＰＩＮ番号、ユーザ名称、リモコン、及びユーザ特権、を編集することを選択してもよい。ＰＩＮ番号を修正するとき、ユーザ１１６は、例えば、ユーザ１１６に特有であり、他のユーザ（例えば、ユーザ１１７）とは異なる、英語または数字の配列を選択しなければならない。ユーザ名称を編集するとき、ユーザ１１６は、現在の名称を削除し、新しい英数字名称を入力し、それから実行を選択しなければならない。特権は、特権ボタン３３６が選択されたとき、修正されてもよい。この特権ボタン３３６は、レベルボタン３２０Ａ、３２０Ｂ、及び３２０Ｃを含む、前述した特権画面３１８において表示される。
【０１４０】
さらに、遠隔ハンドヘルド装置１１２、または、キーフォブ１２８、１７８を編集することは、遠隔ボタン３４２を選ぶことによって処理されてもよい。その遠隔ボタン３４２は、追加ボタン３４７Ａ、編集パニックボタン３４７Ｂ、削除ボタン３４７Ｃ、及び実行ボタン２８１を含むリモコン編集画面３４６（図２４Ｂ）を表示する。追加ボタン３４７Ａは、リモコンが割り当てられている場合にはアクティブ化されていないが、もし、割り当てられていない場合には、選択されたユーザ１１６または１１７が追加ボタン３４７Ａを選択することによって、遠隔ハンドヘルド装置１１２、または、キーフォブ１２８、１７８の１つを追加してもよい。削除ボタン３４７Ｃを選択すると、編集削除画面３４８（図２４Ｃ）を表示して、ユーザに装置１１２，１２８，１７８を削除するための「はい」または「いいえ」を選ばせる。さらに、編集パニックボタン３４７Ｂを選択することにより、前述のパニック機能を編集するためにパニック機能画面３２６（図２３Ｅ）へとユーザ１１６、１１７を戻す。
【０１４１】
上述のように、設定画面２５０は、ホットボタン２６４の選択を含んでもよい。ホットボタン２６４は、在宅警戒ボタン２９４と不在警戒ボタン２９６とに関連付けられた監視装置１２０から分離して警戒したり警戒解除したりできるように構成された監視装置１２０の特定の群として構成され得る、補助の警報として働いてもよい。ホットボタン２６４群は、これに限定されるものではないが、個人の宝石箱、酒類保管庫、金庫、オフロードカー、及び、ウェーブランナー（wave runner）またはボートのような、特定の物品に配置されてもよい。ホットボタン２６４は、特定のユーザ１１６がホットボタン２６４を警戒解除するまで、ユーザ１１６が、警戒させた状態を維持したい財産のために設計され、他のユーザ１１７によって特定の物品のセキュリティが取り除かれないようにする。警戒システムは、それぞれのホットボタン２６４群が、用途に依存して、特定の可聴的および可視的な警報（または、その警報は無音であってもよい）を備えるように構成された、複数のホットボタン２６４群としてもよい。それゆえ、統合されたプロセッサおよびコントロールパネル１６０を備えるベースユニット１４０は、ハウス２１６の境界部を含む第１のセグメント、及び第１のセグメントに近接して配置された少なくとも１つの追加のセグメントの、少なくとも２つの分離された別個の警報セグメントを制御するように構成され、各セグメントは、個別に警戒されたり警戒解除されたりしている間、コントロールパネル１６０によって制御されていることは明らかであろう。
【０１４２】
ホットボタン２６４を選択すると、ホットボタン追加ボタン３５２Ａ、ホットボタン削除ボタン３５２Ｂ、ホットボタン編集ボタン３５２Ｃ、及び実行ボタン２８１を含む、ホットボタン追加画面３５０（図２５Ａ）が表示される。新しいホットボタン２６４の追加は、追加ボタン３５２Ａを選択することで行われ、特定の監視装置２２０、２２４がベースユニット１４０と通信するように構成するための命令に従うことをユーザに要求するセンサ学習画面２８２へとユーザを誘導する。ひとたび監視装置２２０，２２４が認識されると、ユーザ１１６は、図１３のキーボード３１７を用いて、関連するホットボタン監視装置２２０、２２４に対し、ホットボタン１としてラベル付けされる名称を割り当ててもよい。さらに、ユーザ１１６は、ホットボタンサウンド選択画面３５４（図２５Ｂ）からホットボタン２６４用の特定の音を選択してもよい。ホットボタン２６４は、上述したプロトコルを介してＣＭＳ１１４と通信するように構成されてもよい。通信をアクティブ化するために、ユーザ１１６は、関連する連絡先画面３５６（図２５Ｃ）上のＣＭＳ急報ボタン３５８を、警報メッセージの送信先である関連する連絡先情報と共に選択してもよい。ユーザ１１６は、以下の機能セクションにおいて述べられるように、望むならば他の連絡先情報を追加することも可能である。
【０１４３】
ひとたびホットボタン２６４が追加されると、チャイムが鳴り、コントロールパネル１６０のメイン画面が、ホットボタンホーム画面３６０（図２６Ａ）になる。その画面は、少なくともホットボタンアイコン／ボタン３６２を含む。ホットボタン２６４に警戒させるためには、ユーザが、ロックアイコン３６５Ａ及びチャイムアイコン３６５Ｂを含むホットボタン状態画面３６４を表示するホットボタンアイコン／ボタン３６２を選択することが必要である。チャイムは自動的に有効になり、チャイムを無効にするためには、ユーザ１１６がチャイムアイコン３６５Ｂを選択することを要する。さらに、ロックアイコン３６５Ａは、関連する監視装置２２０、２２４が警戒する準備が整っている場合、または、接続されていない場合、識別するように構成されてもよい。ロックアイコン３６５Ａは、監視装置２２０、２２４が準備できてないとき、第１の色で、監視装置１２０が準備状態のとき、第２の色であってもよい。ひとたび監視装置２２０、２２４が、準備状態になったら、ユーザ１１６は、ホットボタン２６４を警戒するためロックアイコン３６５Ａを選択してもよい。ひとたび警戒されたら、ロックアイコン３６５Ａは、赤色で、アンロックまたはオープンロックから、ロックまたはクローズドロックへ切り替わる。さらに、ホットボタン２６４の中央の「Ｈ」は、ホットボタン２６４が、警戒された状態であることを示す色または形を変更してもよい。ホットボタン３６５Ａを警戒解除することは、ユーザが、ホットボタン状態画面３６４を示す同じステップに従うことを要し、ユーザはホットボタン３６２を警戒解除するロックアイコン３６５Ａを押してもよい。上述したように、多数のホットボタン２６４は、在宅警戒および不在警戒モードから、同時かつ個別にアクティブ化されてもよい。
【０１４４】
他の監視装置１２０のように、関連付けられたホットボタンにより監視する装置２２０、２２４は、上述のホットボタン削除ボタン３５２Ｂおよびホットボタン編集ボタン３５２Ｃを用いることで削除または編集されてもよい。ホットボタン２６４を取り除くため、ホットボタンリスト３６６（図２６Ｃ）からホットボタン名称を選択して、それから、ホットボタン削除画面３６８（図２６Ｄ）上で「はい」または「いいえ」ボタンのいずれかを選択するために、削除ボタン３５２Ｂを選択する。ホットボタン２６４の編集にあたっては、ホットボタンリスト３６６から同様の選択と、ホットボタン編集画面３７０（図２６Ｅ）を表示するための編集ボタン３５２Ｃの選択とを要する。ホットボタン編集画面３７０は、ホットボタン名称３７１Ａ、ホットボタンサウンド３７１Ｂ、ホットボタンアラート３７１Ｃのための編集アイコンを含んでもよい。これらのアイコン／ボタンは、ホットボタン名称を編集するための英数字キーボード３１７に対応する。サウンド選択画面３５４および連絡先画面３５６は上述した。
【０１４５】
アラーム時計の機能は図２７Ａ−２７Ｃに示される。アラーム時計機能は設定画面２５０上で警報ボタン２５４を選択することでアクティブ化されてもよい。アラーム時計画面３７２はユーザ１１６に時間および分のボタン３７４を用いて警報時刻を調整させる。ひとたび警報時刻が選択されたら、ユーザは、所定の警報のボリュームレベルのためチャイムボタン３７５を選択してもよい。さらに、ユーザ１１６は、オンボタン３７６を選択することによって警報をアクティブ化してもよい。ひとたびアラーム時計がアクティブ化したら、警報ホーム画面３７８が表示され、警報アイコン／ボタン３８０が画面３７８上に表示される。ユーザ１１６は、警報をオンまたはオフするために、警報ボタン３８０を切り替えてもよい。ひとたびアラーム時計が設定されて、起床時間になったら、警報は、ユーザ１１６をアラートするため鳴ってもよい。ユーザ１１６は、所定のスヌーズ時間でスヌーズボタン３８４を選択してもよく、ユーザ１１６は、警報アクティブ化画面３８２（図２７Ｃ）で形成される止めるボタン３８６を選択することでアラーム時計をオフすることを選んでよい。
【０１４６】
図１４と２８〜３９に特に目を向けると、図１４で機能ボタン２６２を選択すると、典型的な拡張機能画面２７２が表示される。典型的な拡張機能画面２７２は、連絡先ボタン２７４Ａ、習慣アラートボタン２７４Ｂ、テストボタン２７４Ｃ、スクリーンセーバボタン２７４Ｄ、タイマーボタン２７４Ｅ、パニックキーボタン２７４Ｆ、タンパーボタン２７４Ｇ、ログを確認ボタン２７４Ｈ、その他ボタン２７６、および実行ボタン２８１を含んでもよい。
【０１４７】
連絡先ボタン２７４Ａは、文字のデジタルデータまたはメッセージを受信するため電子メールアドレス、電話番号のようなユーザ連絡先情報を、ユーザ１１６に、修正させる。ユーザは、連絡先リスト３８８（図２９）で多数の連絡先情報を追加してもよく、リスト上の全ての連絡先は警報メッセージを受信する。連絡先リスト画面３８８は、本文追加ボタン３４０Ａ、電子メール追加ボタン３４０Ｂ、編集ボタン３４０Ｃ、削除ボタン３４０Ｄ、および実行ボタン２８１を含んでもよい。様々な連絡先ボタン３４０Ａ−３４０Ｄは、ユーザ１１６に特定の連絡先を追加、編集、削除させ、それは連絡先リスト画面３８８上に列挙される。
【０１４８】
テストメッセージに制限されないが、センサが迂回されたときのメッセージ、トラブル状態が生じたときのメッセージ、警報システム１００が警戒されまたは警戒解除され、および、ホットボタン２６４群が警戒されまたは警戒解除されたときのメッセージなどの、特別に選択された３９４メッセージを、アラートリスト３９２（図３０Ａ）からユーザ１１６へ送ることで、ユーザ１１６は警報システム１００をカスタマイズしてもよい。ひとたび特定のメッセージが、アラートリスト３９２から選択３９４されたら、ユーザ１１６は、メッセージを送るため特定の連絡先３９６（図３０Ｂ）を選択してもよい。テストメッセージ確定画面３９８は、「はい」ボタンを選ぶことでユーザにメッセージを送ること、または、「いいえ」ボタンを選択することでメッセージを送らないことを確定させる。
【０１４９】
ユーザ１１６は、ユーザ１１６が時計画面４０２、ロゴ画面４０６、黒色ステルスモード画面４０８、ホーム画面４１０、およびピクチャー画面４０４から選択してもよい、スクリーンセーバオプション画面４００（図３２）を特定するために、コントロールパネル１６０を設定してもよい。ピクチャー画面は、コントロールパネル１６０を、回転するデジタルフォトフレームに変えてもよい。デジタル画像／写真は、メディアスロット１７６を介してプロセッサへアップロードされてもよく、画像がコントロールパネル１６０上に表示されるまでアクセスされ、循環（cycle）されてもよい。機能画面２７２は、警報システム１００を警戒および警戒解除するとき、入退室タイマーをユーザに調整させる機能を提供する。
【０１５０】
タイマーボタン２７４Ｅを選択することによって、ユーザ１１６は、所定の時刻のリスト４１２（図３３）から、退室遅延、入室遅延、警報時刻、スクリーンセーバアクティブ化時刻を選択する。時刻４１２は、各時刻要素のための＋と−のボタン４１４を選択することでカスタマイズされてもよい。
【０１５１】
ユーザ１１６は、パニックキーホーム画面４１８（図３４）を示す機能画面２７２上のパニックキーボタン２７４Ｆを選択することで特定のパニックキー４２０を加えてもよい。パニックキー４２０は、警察、消防、および医療のような特定の緊急要員への直接アクセスを含んでもよく、上述の遠隔ネットワーク装置１０４のために選択されたキーに対応してもよい。特定のパニックキー４２０を選択することで、対応するキー４２４は、ＣＭＳ１１４を介し緊急要員への即時の接続のため、ホーム画面４２２（図３５）に加えられる。
【０１５２】
機能画面２７２は、例えば、動物に衝突されたとき、警報が鳴らないように、高感度と低感度との間の盗難防止内部動作センサの感度を調整する能力を含んでもよい。感度は、ラトルスネーク高ボタン４２８、ラトルスネーク低ボタン４３０、リフトオフタブボタン４３２と、実行ボタン２８１を持つ特定のタンパー画面４２６（図３６）を示す、機能画面２７２上のタンパーボタン２７４Ｇを選択することで調整されてもよい。ラトルスネークタンパーは、上述のように盗難防止機能へ繋がる即時の警報をアクティブ化し、もしベースユニットが、入室遅延の間、何らかの方法でタンパーされたなら、即時の警報を提供する。タンパー機能は、望ましい感度の量によって、低く、または、高く設定されてもよい。もし、入室遅延の間、ユニットが電源から外されたら、上述のように、即時の警報が起こる。あるいは、モバイルアプリケーションのため、ベースユニット１４０は、ベースユニット１４０上に形成されるタンパータブ（図示せず）を含んでもよい。タンパータブは、ベースユニット１４０の前面に向かって延伸する、ベースユニット１４０の底部に配設されたスロット（図示せず）の中へ延伸するように形成されてもよい。それから、ベースユニット１４０が、入室遅延の間に、取り外されるか、または、タブをリフトオフすれば、即時警報が起こる。タンパータブを用いる場合、ベースユニット１４０は、警報システム１００を作動させるために、タブをはめ込んでおかなければならない。
【０１５３】
さらに、タンパー機能は、ユーザ所有物１０２からベースユニット１４０が取り外されたら、追跡をアクティブ化するとともにベースユニット１４０を追跡する位置信号を送信するために、ＧＰＳトランシーバと通信してもよい。全地球測位衛星（ＧＰＳ）トランシーバ（図示せず）は、ベースユニット１４０用の位置情報を提供する。好ましくは、ＧＰＳに加えて、他の追跡装置またはサービスが用いられてもよい。１つの典型的なアプローチにおいて、ＧＰＳトランシーバは、１つ以上のＧＰＳ衛星放送システムから受信したＧＰＳブロードキャスト信号を用いてもよい。一般に、ＧＰＳトランシーバは、セキュリティ事象に応じて遠隔装置へ位置情報を提供することでベースユニット１４０の位置を監視する。例えば、プロセッサは、経度および緯度の座標形式で、ＧＰＳレシーバーから位置情報を定期的に、受信してもよい。プロセッサ（図示せず）は、受信された位置情報における、ベースユニット１４０の予期しない移動を示す変化に応じて、アラートを起こすよう構成されてもよい。さらに、プロセッサは、ＧＰＳトランシーバから遠隔装置１０４へ位置情報を、無線通信システムを介して、中継するよう構成されてもよい。もし、保護された所有物が盗難されたら、そのような位置更新は、盗難された所有物の位置を探し、再発見することにおいて、緊急要員を手助けする。しかしながら上述のように、ＧＰＳトランシーバがベースユニット１４０の内部に構成されることは、トランシーバが監視装置１２０、看板２００のいずれで構成されてもよく、また、ハウジング１４２に配置されてもよいことを企図する。
【０１５４】
ＧＰＳトランシーバ１４０を常に利用すると、図示されてない電源がすぐに枯渇する。それゆえ、システム１００は、ＧＰＳトランシーバが選択的に電源を維持できるよう構成されてもよい。ある典型的なアプローチにおいて、ベースユニット１４０はベースユニット１４０に関連する移動を検知するため構成されてもよい。ひとたび移動が検知されたら、ベースユニット１４０は、移動に応じてＧＰＳトランシーバを使用可能にしてもよい。さらに、ベースユニット１４０は、境界が破られたかどうかを判定するとともに、破られた場合にＧＰＳトランシーバを起動するために、他の装置と通信してもよい。看板２００、ベースユニット１４０、またはＣＭＳ１１４は、状況に応じてＧＰＳトランシーバと通信するように構成されていてもよい。この方法で、ＧＰＳトランシーバは、絶えず電源を消耗しないように、オンデマンドＧＰＳシステムのように機能する。しかしながら、ＧＰＳトランシーバは、説明した以外の方法によって使用可能となり、及び／または起動してもよい。さらに、ＧＰＳサービスまたは監視する料金は、ＧＰＳ機能が、選択的で、オンデマンドに従って単に有効にされるなら、減少されるだろう。言い換えると、この実施形態において、顧客は、ＧＰＳを利用しない限り、ＧＰＳのためにチャージされることはない。
【０１５５】
警報監視装置１２０とベースユニット１４０、及び／またはＣＭＳ１１４との間の周期的な通信は、特定周波数の無線リンク放送、Ｚｉｇｂｅｅ（登録商標）スタック、ＷｉＦｉ、または他の既知のまたは独自仕様の通信プロトコルなどの、いかなるプロトコルを介してもよい。さらに、その周波数または、異なる周波数は、警報監視装置１２０とベースユニット１４０との間のセキュリティ事象、及び／または、トリガ警報または、タンパーメッセージを通信するため用いられてもよい。例えば、周期的な通信、セキュリティ事象、及び／または、タンパーメッセージは、約９００ＭＨｚの周波数、または、約２．４ＧＨｚの周波数で転送されてもよい。しかしながら、これらの周波数の両方は、単なる典型であり、他の周波数が用いられてもよい。さらに、冗長な通信が用いられてもよい。ある実施形態において、もし、あるプロトコルを使用する周期的な通信が終わるなら、警報監視装置１２０、ベースユニット１４０、及び／または中央監視ステーション１１４は、例えば、バックアップとして、異なる範囲を持つ別のプロトコルを介して通信を始めてもよい。
【０１５６】
ＧＰＳトランシーバは、特にベースユニット１４０が公開エリアにはなく、衛星と通信できるなら、目的をたどるため、他の通信装置を用いてもよい。ＧＰＳトランシーバが衛星と通信できないなら、ベースユニットは、セルラベースステーション（図示せず）のような、１つ以上の他の装置を追跡するように通信を構成してもよい。他の追跡装置はＧＰＳトランシーバまたは、セルラベースステーションの他に用いられてもよい。さらに、位置情報は、基地局、ＷｉＦｉまたはＷｉＭａｘ、その他のような、公共の、またはプライベートな無線通信を含むいかなるプロトコルにより提供されてもよい。
【０１５７】
機能画面２７２は、発生した事象の各々をユーザ１１６にレビューさせるための、レビューログ画面４３４上のレビューログを含んでもよい。レビューログは、アクティビティのタイムラインであり、次と前ボタン４３６を用いてログをスクロールすることによって、ユーザに素早く、特定の事象を見つけさせる。プロセッサメモリは、ログに約５００の事象を保存するよう構成されてもよい。いかなる警報事象またはプログラミング事象でも、ビューログリスト画面４３４上にある。
【０１５８】
さらに、メイン機能画面２７２は、ユーザに第２の画面またはその他の機能画面４３８を選ばせる、その他ボタン２７６を含んでもよい。その他の機能画面４３８は、名称システムボタン４４０、常夜灯ボタン４４２、明るさボタン４３８、止めるボタンおよび実行ボタン２８１を含んでもよい。名称システムボタン４４０を選択することは、上述した英数字キーパッド３１７を表わし、ユーザ１１６にベースユニット１４０のための特定の名称を入力させる。常夜灯ボタン４４２は、視覚的インジケータ１６８に常夜灯として二役させる。常夜灯は、ベースユニット１４０がＡＣ電源に繋がっているときにのみ働く。常夜灯は、常夜灯ボタン４４２を選択することで選ばれる、明るさの様々なレベルを備えてもよい。
【０１５９】
コントロールパネル１６２の明るさは、明るさボタン４４４を選択することで調整されてもよい。さらに、ベースユニット１４０は、適切な使用のために工場出荷時にプロセッサが設定されることを要求してもよい。ユニットは、ベースユニット１４０を電源から取り外し、止めるボタン４３８を選択することでシャットダウンされてもよく、電源オフ選択は、電源オフ構成ページ４５２上で「はい」または「いいえ」を選択することで構成されなければならない。ベースユニット１４０は、バッテリ故障や不測のメッセージが送信されることを避けるため、あらかじめ決められた時刻にシャットダウンする必要がある。
【０１６０】
図４０−４４は、民生用警報ユニットをアクティブ化させるプロセス５００、民生用警報ユニットを警戒させるプロセス６００及び警報解除するプロセス７００、１つ以上のセンサを追加したりまたは変更したりするプロセス８００、及び、ユーザを追加したりまたは変更したりするプロセス９００を示すための流れ図を示す。
【０１６１】
図４０は、最初のセットアップ手順を示している。この手順は、ユニットを移動してＡＣ電力を準備する最初のセットアップ５０２より開始する。ステップ５０４は、ＡＣアダプタコードをベースユニットの背面に差し込み、他端を電源コンセントにプラグインすることによってベースユニット１４０を起動することを含む。ひとたび電力が供給されると、コントロールパネル１６２がタッチされることにより画面を点灯するようにステップ５０６に進む。ステップ５０８−５０８ｂにおいて、ベースユニット１４０はプライマリＰＩＮ番号の入力または追加を要求する。ステップ５０８及び５０８ｂは、ＰＩＮ番号の入力のみを要求し、はい、または、いいえの押下は要求されない。ステップ５１０において、連絡先情報は、文字データを受信するための個々のユーザ１１６電話番号を入力するために追加されてもよい。ステップ５１２はユーザにベースユニット１４０から追加の通信を受信するための電子メールアドレスを入力させる。ステップ５１４は、上述のように、１つ以上の携帯可能なハンドヘルド制御装置を追加する機会をユーザに提供する。ひとたびすべての連絡先及びその他の情報がベースユニット１４０内のプロセッサのメモリへ入力されると、ステップ５１６においてセットアップ手順５００は完了する。
【０１６２】
図４１は、警報システム１００を警戒させるプロセス６００を示している。ステップ６０２において、警報システムの警戒が開始されると、警報システム１００は、ユーザが家２１６内に存在している間、境界が監視され警戒されることのみをユーザが希望する、在宅モードにて警戒されるべきか、あるいは、すべてのセンサが監視され警戒される、不在モードを選択するか、を決定するためにステップ６０４へ進む。在宅モードの選択がステップ６０６に示されており、この場合、ユーザはステップ６０８に示されるように家に存在する。ステップ６１０において、コントロールパネル制御画面またはステップ６１２に示すようにキーフォブの、少なくとも１つの在宅警戒ボタンを選択する。ステップ６１０またはステップ６１２のいずれかの警戒ボタンを選択した後に、ステップ６１４において警報システムは警戒する。ステップ６２６において不在モードが選択されると、ユーザは、ステップ６２８において、画面または遠隔ハンドヘルド装置のいずれかを用いて不在ボタンを選択する。しかし、これに続く一連のステップ、具体的には、ユーザがペット及び／または人を家に残すステップ６２８、システムをアクティブ化するために不在ボタンを選択するステップ６３０、及び、警報システムの警戒６１４のためにペットモードボタンをアクティブ化するステップ６３２、を含んでもよい。
【０１６３】
警報システム１００を警戒解除することは、ユニットの警戒解除７０２が行われるプロセス７００（図４２）に示されている。システム１００は、キーフォブにてロック解除を選択７０２することによって、または、画面上の警戒解除ボタンを選択７０２Ａし、かつ、ステップ７０６においてシステム１００の警戒解除が完了するように、ステップ７０４においてキーパッドへユーザＰＩＮを入力することにより、警戒解除されてもよい。
【０１６４】
ユーザは、必要に応じて、かつプロセス８００（図４３）に示されたように、センサを追加または変更してもよい。センサは、ステップ８０２において、設定ボタンを選択することにより追加され、ステップ８０４において英数字のＰＩＮを入力させる。次にオペレータは、拡張機能を選択するためにステップ８０６に進んでもよいし、上記で詳述されたように、ステップ８０６をスキップして、追加する特性のセンサを選択するためにステップ８０８まで進んでもよい。ステップ８１０において、追加センサボタンを選択すると、ユーザに、センサとベースユニット１４０との間の無線通信経路を生成させる学習モードにある、センサを設置させる。ステップ８１４において、センサのタイプまたは名称が選択され、ステップ８１６において、センサが追加されたことをチャイムが鳴って知らされたときに、このプロセスは完了する。
【０１６５】
ユーザを追加したり変更したりするプロセスは、ステップ９０２において、設定ボタンを選択することによってユーザが追加されてもよい、図４４及びプロセス９００において実例が示され、ステップ９０４において英数字のＰＩＮを入力させる。次に、オペレータは拡張機能を選択するためにステップ９０６に進んだり、または、上で詳述したように、オペレータは特定のユーザ、及びステップ９０８において追加され得る関連するキーフォブを選択するために、ステップ９０６をスキップして先に進んだりしてもよい。ステップ９１０において、追加ユーザボタンを選択することは、ステップ９１２において、ユーザにユーザの名称及び／またはＰＩＮ番号を入力させる。ユーザ特定キーフォブを追加することは、ステップ９１４において開始され、そこでは、ステップ９１０−９１４を繰り返すことによってさらなるユーザを追加するように、ステップ９１６においてプロセスが繰り返されてもよい。ステップ８１６において、ユーザが追加されたことをチャイムが鳴って知らされたときに、このプロセスは完了する。
【０１６６】
本明細書に記載されたシステム及び方法は広い用途を有すると認識される。前述の実施形態は、いくつかの実用例と共に、該方法及び装置の根本理念を示すために選択され説明された。上述の説明によって、当業者は、具体的な用途に適合するように考えられた様々な実施形態、及び様々な変更を伴って、この方法及び装置を利用することができる。特許法の規定に従って、本発明の実施の根本理念と様式とが、例示的な実施形態において説明及び図示された。
【０１６７】
本方法及び装置の範囲は、以下の請求項によって規定される。しかし、思想または適用範囲から離れることなく、具体的に説明され図示されたもの以外にも、例示的な実施形態が実施され得るということを理解されなければならない。当業者によって、本明細書に記載された実施形態に対する様々な変形が後述の請求項に記載されたような思想と範囲から離れることなく該請求項を実施するために用いられ得ることが理解されるべきであろう。本開示の範囲は、これらの請求項が権利を与える関連発明の全ての範囲と共に、上記の説明を参照することによってではなく、添付された請求項を参照することによって決められるべきであり、本明細書において説明した当分野において将来の発展が起きること、及び、開示されたシステム及び方法が、このような将来の実施例の中に組み込まれ得ることが予期され、意図される。更に、請求項において用いられるすべての物品は、本明細書中に特にそれとは反対に明示しない限り、当業者によって理解されるように、それらの最も広い、正当な構造及びそれらの通常の意味を示すことが意図されている。具体的には、「ａ」「ｔｈｅ」「上記（ｓａｉｄ）」などの単数の冠詞が使用されている場合、請求項がそれとは反対に明確な制限を示していない限り、１つ以上の指示された要素について述べていると読まれるべきである。以下の請求項は、本開示の範囲、及びこれらの請求項と関連発明とによって含まれる範囲内の方法及び装置を規定することを意図している。要するに、例示的な実施形態は、変更及び変形が可能であり、後述の請求項によってのみ制限されることが理解されるべきである。
【図面の簡単な説明】
【０１６８】
【図１】携帯可能な警報装置を備えるセキュリティシステムの一例を示す。
【図２Ａ】ユーザの所有物の一例を示す。
【図２Ｂ】外部の遠隔通信要素の一例を示す。
【図３】民生用警報ユニットの一例を示す。
【図４】民生用警報ユニットの正面図である。
【図５】民生用警報ユニットの背面図である。
【図６】民生用警報ユニットの上面図である。
【図７】民生用警報ユニットの底面図である。
【図８】民生用警報ユニットの側面図である。
【図９】民生用警報ユニットの側面図である。
【図１０】民生用警報ユニットのためのハンドヘルド遠隔制御装置の一例を示す。
【図１１】ホーム画面例を表示している民生用警報ユニットの一例を示す。
【図１２】民生用警報ユニットにおいて表示されるホーム画面の一例を示す。
【図１３】新しいＰＩＮの入力のために民生用警報ユニットの一例において表示される画面例を示す。
【図１４】メニュー指示機能の表示のために民生用警報ユニットの一例において表示される画面例を示す。
【図１５Ａ】センサの追加のために民生用警報ユニットの一例において表示される画面例を示す。
【図１５Ｂ】民生用警報ユニットの一例において表示される学習モード画面の一例を示す。
【図１５Ｃ】民生用警報ユニットの一例において表示されるセンサ識別画面の一例を示す。
【図１５Ｄ】センサの削除のために民生用警報ユニットの一例において表示される画面例を示す。
【図１６】センサの変更のために民生用警報ユニットの一例において表示される画面例を示す。
【図１７】センサボタン／アイコンを備える民生用警報ユニットの一例において表示されるセンサホーム画面の一例を示す。
【図１８】センサトラブルボタン／アイコンを備える民生用警報ユニットの一例において表示されるセンサホーム画面の一例を示す。
【図１９】民生用警報ユニットの一例において表示されるホーム画面の一例を示す。
【図２０】民生用警報ユニットの一例において表示される警戒解除画面の一例を示す。
【図２１】ペットモードにおいて、民生用警報ユニットの一例において表示される画面例を示す。
【図２２】民生用警報ユニットの一例において表示される警報画面の一例を示す。
【図２３Ａ】ユーザのリストを表示している民生用警報ユニットの一例において表示される画面例を示す。
【図２３Ｂ】ユーザ承認の変更のために民生用警報ユニットの一例において表示される画面例を示す。
【図２３Ｃ】リモコンの追加のために民生用警報ユニットの一例において表示される画面例を示す。
【図２３Ｄ】遠隔ネットワーク装置の追加のために民生用警報ユニットの一例において表示される画面例を示す。
【図２３Ｅ】民生用警報ユニットの一例において表示されるパニック機能画面を示す。
【図２３Ｆ】ユーザのリストを表示している民生用警報ユニットの一例において表示される画面例を示す。
【図２３Ｇ】民生用警報ユニットの一例において表示されるユーザ削除画面の一例を示す。
【図２４Ａ】民生用警報ユニットの一例において表示されるユーザ編集画面の一例を示す。
【図２４Ｂ】民生用警報ユニットの一例において表示される遠隔編集画面の一例を示す。
【図２４Ｃ】民生用警報ユニットの一例において表示される削除編集画面の一例を示す。
【図２５Ａ】ホットボタンの追加のために民生用警報ユニットの一例において表示される画面例を示す。
【図２５Ｂ】ホットボタンの音響選択のために民生用警報ユニットの一例において表示される画面例を示す。
【図２５Ｃ】連絡先のリストを示すために民生用警報ユニットの一例において表示される画面例を示す。
【図２６Ａ】民生用警報ユニットの一例において表示されるホットボタンホーム画面の一例を示す。
【図２６Ｂ】ホットボタンのステータスを示している民生用警報ユニットの一例において表示される画面例を示す。
【図２６Ｃ】ホットボタンのリストを表示している民生用警報ユニットの一例において表示される画面例を示す。
【図２６Ｄ】ホットボタンの削除のために民生用警報ユニットの一例において表示される画面例を示す。
【図２６Ｅ】ホットボタンの編集のために民生用警報ユニットの一例において表示される画面例を示す。
【図２７Ａ】警報のアクティブ化のために民生用警報ユニットの一例において表示される画面例を示す。
【図２７Ｂ】民生用警報ユニットの一例において表示されるアクティブ化した警報画面の一例を示す。
【図２７Ｃ】民生用警報ユニットの一例において表示されるアクティブ化した警報画面の一例を示す。
【図２８】拡張機能とともにメニューを示している民生用警報ユニットの一例において表示される画面例を示す。
【図２９】テキストメッセージまたは電子メール通知を受け取るための、電話番号及び電子メールアドレスの登録のために、民生用警報ユニットの一例において表示される画面例を示す。
【図３０Ａ】警報リストを示している民生用警報ユニットの一例において表示される画面例を示す。
【図３０Ｂ】連絡先リストを示している民生用警報ユニットの一例において表示される画面例を示す。
【図３１】民生用警報ユニットの一例において表示されるテストメッセージ確認画面の一例を示す。
【図３２】スクリーンセーバオプションを示している民生用警報ユニットの一例において表示される画面例を示す。
【図３３】タイマーリストを示している民生用警報ユニットの一例において表示される画面例を示す。
【図３４】民生用警報ユニットの一例において表示されるパニックキーホーム画面の一例を示す。
【図３５】民生用警報ユニットの一例において表示されるホーム画面の一例を示す。
【図３６】民生用警報ユニットの一例において表示される特別タンパー画面の一例を示す。
【図３７】民生用警報ユニットの一例において表示されるログレビュー画面の一例を示す。
【図３８】さらなる機能を示している民生用警報ユニットの一例において表示される画面例を示す。
【図３９】民生用警報ユニットの一例において表示される電源オフ確認画面の一例を示す。
【図４０】民生用警報ユニットの一例をアクティブ化させるための方法の一例を示す。
【図４１】民生用警報ユニットの一例を警戒させるための方法の一例を示す。
【図４２】民生用警報ユニットの一例を警戒解除するための方法の一例を示す。
【図４３】民生用警報ユニットの一例においてセンサの追加、または、センサの変更を行うための方法の一例を示す。
【図４４】民生用警報ユニットの一例においてユーザの追加、または、ユーザの変更を行うための方法の一例を示す。
【図１】
2014519092.tif 000003
【図２Ａ】
2014519092.tif 000004
【図２Ｂ】
2014519092.tif 000005
【図３】
2014519092.tif 000006
【図４】
2014519092.tif 000007
【図５】
2014519092.tif 000008
【図６】
2014519092.tif 000009
【図７】
2014519092.tif 000010
【図８】
2014519092.tif 000011
【図９】
2014519092.tif 000012
【図１０】
2014519092.tif 000013
【図１１】
2014519092.tif 000014
【図１２】
2014519092.tif 000015
【図１３】
2014519092.tif 000016
【図１４】
2014519092.tif 000017
【図１５Ａ】
2014519092.tif 000018
【図１５Ｂ】
2014519092.tif 000019
【図１５Ｃ】
2014519092.tif 000020
【図１５Ｄ】
2014519092.tif 000021
【図１６】
2014519092.tif 000022
【図１７】
2014519092.tif 000023
【図１８】
2014519092.tif 000024
【図１９】
2014519092.tif 000025
【図２０】
2014519092.tif 000026
【図２１】
2014519092.tif 000027
【図２２】
2014519092.tif 000028
【図２３Ａ】
2014519092.tif 000029
【図２３Ｂ】
2014519092.tif 000030
【図２３Ｃ】
2014519092.tif 000031
【図２３Ｄ】
2014519092.tif 000032
【図２３Ｅ】
2014519092.tif 000033
【図２３Ｆ】
2014519092.tif 000034
【図２３Ｇ】
2014519092.tif 000035
【図２４Ａ】
2014519092.tif 000036
【図２４Ｂ】
2014519092.tif 000037
【図２４Ｃ】
2014519092.tif 000038
【図２５Ａ】
2014519092.tif 000039
【図２５Ｂ】
2014519092.tif 000040
【図２５Ｃ】
2014519092.tif 000041
【図２６Ａ】
2014519092.tif 000042
【図２６Ｂ】
2014519092.tif 000043
【図２６Ｃ】
2014519092.tif 000044
【図２６Ｄ】
2014519092.tif 000045
【図２６Ｅ】
2014519092.tif 000046
【図２７Ａ】
2014519092.tif 000047
【図２７Ｂ】
2014519092.tif 000048
【図２７Ｃ】
2014519092.tif 000049
【図２８】
2014519092.tif 000050
【図２９】
2014519092.tif 000051
【図３０Ａ】
2014519092.tif 000052
【図３０Ｂ】
2014519092.tif 000053
【図３１】
2014519092.tif 000054
【図３２】
2014519092.tif 000055
【図３３】
2014519092.tif 000056
【図３４】
2014519092.tif 000057
【図３５】
2014519092.tif 000058
【図３６】
2014519092.tif 000059
【図３７】
2014519092.tif 000060
【図３８】
2014519092.tif 000061
【図３９】
2014519092.tif 000062
【図４０】
2014519092.tif 000063
【図４１】
2014519092.tif 000064
【図４２】
2014519092.tif 000065
【図４３】
2014519092.tif 000066
【図４４】
2014519092.tif 000067
【国際調査報告】
2014519092.tif 000068
2014519092.tif 000069
2014519092.tif 000070
2014519092.tif 000071